(57)【要約】  サイドリンク情報、通信デバイス、ネットワークデバイス、およびシステムのためのリソース構成方法が提供される。リソース構成方法は、ネットワークデバイスが第１の指示情報を第１の通信デバイスに送信する段階であって、第１の指示情報が第１のリソース、第２のリソース、および第３のリソースを示し、第１のリソースがアップリンク情報を伝送するために使用され、第２のリソースがダウンリンク情報を伝送するために使用され、第３のリソースが、第１の情報を伝送するためまたは情報を伝送しないために使用されてよく、第１の情報が、アップリンク情報、ダウンリンク情報、およびサイドリンク情報のうちの少なくとも１つを含む、送信する段階と、ネットワークデバイスが第２の指示情報を第１の通信デバイスに送信する段階であって、第２の指示情報が第４のリソースを示し、第４のリソースが第１のリソース、第３のリソース、または第１のリソースおよび第３のリソースに属しており、第４のリソースが、第１の通信デバイスと第２の通信デバイスとの間でサイドリンク情報を伝送するために使用される、送信する段階と、を含む。したがって、第１の通信デバイスおよび第２の通信デバイスは、第２の指示情報によって示される第４のリソース上でサイドリンク情報の伝送を完了させる。
2021533663.tif 000002
【特許請求の範囲】
【請求項１】
サイドリンク情報のためのリソース構成方法であって、
ネットワークデバイスが第１の指示情報を第１の通信デバイスに送信する段階であって、前記第１の指示情報が、第１のリソース、第２のリソース、および第３のリソースを示し、前記第１のリソース、前記第２のリソース、および前記第３のリソースが１つのスロット内に備えられ、前記第１のリソースがアップリンク情報を伝送するために使用され、前記第２のリソースがダウンリンク情報を伝送するために使用され、前記第３のリソースが第１の情報を伝送するためまたは情報を伝送しないために使用され、前記第１の情報が、アップリンク情報、ダウンリンク情報、およびサイドリンク情報のうちの少なくとも１つを含む、送信する段階と、
前記ネットワークデバイスが第２の指示情報を前記第１の通信デバイスに送信する段階であって、前記第２の指示情報が第４のリソースを示し、前記第４のリソースが前記第１のリソースに属しており、前記第４のリソースが、前記第１の通信デバイスと第２の通信デバイスとの間でサイドリンク情報を伝送するために使用され、前記サイドリンク情報がサイドリンクフィードバック情報を含む、送信する段階と、を含む、方法。
【請求項２】
前記第２の指示情報が、前記第４のリソースのものである、スロット位置情報、ミニスロット位置情報、開始シンボル位置情報、占有されるシンボルの数、占有されるミニスロットの数、および占有されるスロットの数のうちの少なくとも１つを含む、請求項１に記載の方法。
【請求項３】
前記サイドリンク情報が、サイドリンク制御情報およびサイドリンクデータのうちの少なくとも１つを含む、請求項１または２に記載の方法。
【請求項４】
前記第４のリソースの第１のサイドリンクシンボルが、自動利得制御（ＡＧＣ）情報を送信するために使用され、前記第４のリソースの第２のサイドリンクシンボルがサイドリンク制御情報を送信するために使用される、請求項１から３のいずれか一項に記載の方法。
【請求項５】
前記サイドリンク制御情報が、前記サイドリンクフィードバック情報の指示情報を含む、請求項３または４に記載の方法。
【請求項６】
前記サイドリンクフィードバック情報は、前記第２の通信デバイスがサイドリンクデータを正しくまたは問題なく受信するかどうかを示す、請求項１から５のいずれか一項に記載の方法。
【請求項７】
前記サイドリンクフィードバック情報が１ビットの指示情報を含み、前記１ビットの指示情報が、肯定応答（ＡＣＫ）情報または否定応答（ＮＡＣＫ）情報を示す、請求項１から６のいずれか一項に記載の方法。
【請求項８】
サイドリンク情報のためのリソース構成方法であって、
第１の通信デバイスがネットワークデバイスから第１の指示情報を受信する段階であって、前記第１の指示情報が、第１のリソース、第２のリソース、および第３のリソースを示し、前記第１のリソース、前記第２のリソース、および前記第３のリソースが１つのスロット内に備えられ、前記第１のリソースがアップリンク情報を伝送するために使用され、前記第２のリソースがダウンリンク情報を伝送するために使用され、前記第３のリソースが第１の情報を伝送するためまたは情報を伝送しないために使用され、前記第１の情報が、アップリンク情報、ダウンリンク情報、およびサイドリンク情報のうちの少なくとも１つを含む、受信する段階と、
前記第１の通信デバイスが前記ネットワークデバイスから第２の指示情報を受信する段階であって、前記第２の指示情報が第４のリソースを示し、前記第４のリソースが前記第１のリソースに属しており、前記第４のリソースが、前記第１の通信デバイスと第２の通信デバイスとの間でサイドリンク情報を伝送するために使用される、受信する段階と、
前記第１の通信デバイスが前記第４のリソース上で前記サイドリンク情報を前記第２の通信デバイスに送信する段階であって、前記サイドリンク情報がサイドリンクフィードバック情報を含む、送信する段階と、を含む、方法。
【請求項９】
前記第２の指示情報が、前記第４のリソースのものである、スロット位置情報、ミニスロット位置情報、開始シンボル位置情報、占有されるシンボルの数、占有されるミニスロットの数、および占有されるスロットの数のうちの少なくとも１つを含む、請求項８に記載の方法。
【請求項１０】
前記サイドリンク情報が、サイドリンク制御情報およびサイドリンクデータのうちの少なくとも１つを含む、請求項８または９に記載の方法。
【請求項１１】
前記第４のリソースの第１のサイドリンクシンボルが自動利得制御（ＡＧＣ）情報を送信するために使用され、前記第４のリソースの第２のサイドリンクシンボルがサイドリンク制御情報を送信するために使用される、請求項８から１０のいずれか一項に記載の方法。
【請求項１２】
前記サイドリンク制御情報が、前記サイドリンクフィードバック情報の指示情報を含む、請求項１０または１１に記載の方法。
【請求項１３】
前記サイドリンクフィードバック情報は、前記第２の通信デバイスがサイドリンクデータを正しくまたは問題なく受信するかどうかを示す、請求項８から１２のいずれか一項に記載の方法。
【請求項１４】
前記サイドリンクフィードバック情報が１ビットの指示情報を含み、前記１ビットの指示情報が、肯定応答（ＡＣＫ）情報または否定応答（ＮＡＣＫ）情報を示す、請求項８から１３のいずれか一項に記載の方法。
【請求項１５】
サイドリンク情報のためのリソース構成方法であって、
第２の通信デバイスがネットワークデバイスから第１の指示情報を受信する段階であって、前記第１の指示情報が、第１のリソース、第２のリソース、および第３のリソースを示し、前記第１のリソース、前記第２のリソース、および前記第３のリソースが１つのスロット内に備えられ、前記第１のリソースがアップリンク情報を伝送するために使用され、前記第２のリソースがダウンリンク情報を伝送するために使用され、前記第３のリソースが第１の情報を伝送するためまたは情報を伝送しないために使用され、前記第１の情報が、アップリンク情報、ダウンリンク情報、およびサイドリンク情報のうちの少なくとも１つを含む、受信する段階と、
前記第２の通信デバイスが前記ネットワークデバイスから第２の指示情報を受信する段階であって、前記第２の指示情報が第４のリソースを示し、前記第４のリソースが前記第１のリソースに属しており、前記第４のリソースが、前記第２の通信デバイスと第１の通信デバイスとの間でサイドリンク情報を伝送するために使用される、受信する段階と、
前記第２の通信デバイスが前記第４のリソース上で前記第１の通信デバイスから前記サイドリンク情報を受信する段階であって、前記サイドリンク情報がサイドリンクフィードバック情報を含む、受信する段階と、を含む、方法。
【請求項１６】
前記第２の指示情報が、前記第４のリソースのものである、スロット位置情報、ミニスロット位置情報、開始シンボル位置情報、占有されるシンボルの数、占有されるミニスロットの数、および占有されるスロットの数のうちの少なくとも１つを含む、請求項１５に記載の方法。
【請求項１７】
前記サイドリンク情報が、サイドリンク制御情報およびサイドリンクデータのうちの少なくとも１つを含む、請求項１５または１６に記載の方法。
【請求項１８】
前記第４のリソースの第１のサイドリンクシンボルが、自動利得制御（ＡＧＣ）情報を送信するために使用され、前記第４のリソースの第２のサイドリンクシンボルがサイドリンク制御情報を送信するために使用される、請求項１５から１７のいずれか一項に記載の方法。
【請求項１９】
前記サイドリンク制御情報が、前記サイドリンクフィードバック情報の指示情報を含む、請求項１７または１８に記載の方法。
【請求項２０】
前記サイドリンクフィードバック情報は、前記第２の通信デバイスがサイドリンクデータを正しくまたは問題なく受信するかどうかを示す、請求項１５から１９のいずれか一項に記載の方法。
【請求項２１】
前記サイドリンクフィードバック情報が１ビットの指示情報を含み、前記１ビットの指示情報が、肯定応答（ＡＣＫ）情報または否定応答（ＮＡＣＫ）情報を示す、請求項１５から２０のいずれか一項に記載の方法。
【請求項２２】
無線装置であって、
第１の指示情報を第１の通信デバイスに送信するように構成された送信ユニットであって、前記第１の指示情報が、第１のリソース、第２のリソース、および第３のリソースを示し、前記第１のリソース、前記第２のリソース、および前記第３のリソースが１つのスロット内に備えられ、前記第１のリソースがアップリンク情報を伝送するために使用され、前記第２のリソースがダウンリンク情報を伝送するために使用され、前記第３のリソースが第１の情報を伝送するためまたは情報を伝送しないために使用され、前記第１の情報が、アップリンク情報、ダウンリンク情報、およびサイドリンク情報のうちの少なくとも１つを含む、送信ユニットを備え、
前記送信ユニットがさらに、第２の指示情報を前記第１の通信デバイスに送信するように構成され、前記第２の指示情報が第４のリソースを示し、前記第４のリソースが前記第１のリソースに属しており、前記第４のリソースが、前記第１の通信デバイスと第２の通信デバイスとの間でサイドリンク情報を伝送するために使用され、前記サイドリンク情報がサイドリンクフィードバック情報を含む、無線装置。
【請求項２３】
前記第２の指示情報が、前記第４のリソースのものである、スロット位置情報、ミニスロット位置情報、開始シンボル位置情報、占有されるシンボルの数、占有されるミニスロットの数、および占有されるスロットの数のうちの少なくとも１つを含む、請求項２２に記載の無線装置。
【請求項２４】
前記サイドリンク情報が、サイドリンク制御情報およびサイドリンクデータのうちの少なくとも１つを含む、請求項２２または２３に記載の無線装置。
【請求項２５】
前記第４のリソースの第１のサイドリンクシンボルが自動利得制御（ＡＧＣ）情報を送信するために使用され、前記第４のリソースの第２のサイドリンクシンボルがサイドリンク制御情報を送信するために使用される、請求項２２から２４のいずれか一項に記載の無線装置。
【請求項２６】
前記サイドリンク制御情報が、前記サイドリンクフィードバック情報の指示情報を含む、請求項２４または２５に記載の無線装置。
【請求項２７】
前記サイドリンクフィードバック情報は、前記第２の通信デバイスがサイドリンクデータを正しくまたは問題なく受信するかどうかを示す、請求項２２から２６のいずれか一項に記載の無線装置。
【請求項２８】
前記サイドリンクフィードバック情報が１ビットの指示情報を含み、前記１ビットの指示情報が、肯定応答（ＡＣＫ）情報または否定応答（ＮＡＣＫ）情報を示す、請求項２２から２７のいずれか一項に記載の無線装置。
【請求項２９】
無線装置であって、
ネットワークデバイスから第１の指示情報を受信するように構成された受信ユニットであって、前記第１の指示情報が、第１のリソース、第２のリソース、および第３のリソースを示し、前記第１のリソース、前記第２のリソース、および前記第３のリソースが１つのスロット内に備えられ、前記第１のリソースがアップリンク情報を伝送するために使用され、前記第２のリソースがダウンリンク情報を伝送するために使用され、前記第３のリソースが第１の情報を伝送するためまたは情報を伝送しないために使用され、前記第１の情報が、アップリンク情報、ダウンリンク情報、およびサイドリンク情報のうちの少なくとも１つを含み、
前記受信ユニットがさらに、前記ネットワークデバイスから第２の指示情報を受信するように構成され、前記第２の指示情報が第４のリソースを示し、前記第４のリソースが前記第１のリソースに属しており、前記第４のリソースが、第１の通信デバイスと第２の通信デバイスとの間でサイドリンク情報を伝送するために使用される、受信ユニットと、
前記第４のリソース上で前記サイドリンク情報を前記第２の通信デバイスに送信するように構成された送信ユニットであって、前記サイドリンク情報がサイドリンクフィードバック情報を含む、送信ユニットと、を備える、無線装置。
【請求項３０】
前記第２の指示情報が、前記第４のリソースのものである、スロット位置情報、ミニスロット位置情報、開始シンボル位置情報、占有されるシンボルの数、占有されるミニスロットの数、および占有されるスロットの数のうちの少なくとも１つを含む、請求項２９に記載の無線装置。
【請求項３１】
前記サイドリンク情報が、サイドリンク制御情報およびサイドリンクデータのうちの少なくとも１つを含む、請求項２９または３０に記載の無線装置。
【請求項３２】
前記第４のリソースの第１のサイドリンクシンボルが自動利得制御（ＡＧＣ）情報を送信するために使用され、前記第４のリソースの第２のサイドリンクシンボルがサイドリンク制御情報を送信するために使用される、請求項２９から３１のいずれか一項に記載の無線装置。
【請求項３３】
前記サイドリンク制御情報が、前記サイドリンクフィードバック情報の指示情報を含む、請求項３１または３２に記載の無線装置。
【請求項３４】
前記サイドリンクフィードバック情報は、前記第２の通信デバイスがサイドリンクデータを正しくまたは問題なく受信するかどうかを示す、請求項２９から３３のいずれか一項に記載の無線装置。
【請求項３５】
前記サイドリンクフィードバック情報が１ビットの指示情報を含み、前記１ビットの指示情報が、肯定応答（ＡＣＫ）情報または否定応答（ＮＡＣＫ）情報を示す、請求項２９から３４のいずれか一項に記載の無線装置。
【請求項３６】
無線装置であって、
ネットワークデバイスから第１の指示情報を受信するように構成された受信ユニットであって、前記第１の指示情報が、第１のリソース、第２のリソース、および第３のリソースを示し、前記第１のリソース、前記第２のリソース、および前記第３のリソースが１つのスロット内に備えられ、前記第１のリソースがアップリンク情報を伝送するために使用され、前記第２のリソースがダウンリンク情報を伝送するために使用され、前記第３のリソースが第１の情報を伝送するためまたは情報を伝送しないために使用され、前記第１の情報が、アップリンク情報、ダウンリンク情報、およびサイドリンク情報のうちの少なくとも１つを含む、受信ユニットを備え、
前記受信ユニットがさらに、前記ネットワークデバイスから第２の指示情報を受信するように構成され、前記第２の指示情報が第４のリソースを示し、前記第４のリソースが前記第１のリソースに属しており、前記第４のリソースが、第２の通信デバイスと第１の通信デバイスとの間でサイドリンク情報を伝送するために使用され、
前記受信ユニットがさらに、前記第４のリソース上で前記第１の通信デバイスから前記サイドリンク情報を受信するように構成され、前記サイドリンク情報がサイドリンクフィードバック情報を含む、無線装置。
【請求項３７】
前記第２の指示情報が、前記第４のリソースのものである、スロット位置情報、ミニスロット位置情報、開始シンボル位置情報、占有されるシンボルの数、占有されるミニスロットの数、および占有されるスロットの数のうちの少なくとも１つを含む、請求項３６に記載の無線装置。
【請求項３８】
前記サイドリンク情報が、サイドリンク制御情報およびサイドリンクデータのうちの少なくとも１つを含む、請求項３６または３７に記載の無線装置。
【請求項３９】
前記第４のリソースの第１のサイドリンクシンボルが自動利得制御（ＡＧＣ）情報を送信するために使用され、前記第４のリソースの第２のサイドリンクシンボルがサイドリンク制御情報を送信するために使用される、請求項３６から３８のいずれか一項に記載の無線装置。
【請求項４０】
前記サイドリンク制御情報が、前記サイドリンクフィードバック情報の指示情報を含む、請求項３８または３９に記載の無線装置。
【請求項４１】
前記サイドリンクフィードバック情報は、前記第２の通信デバイスがサイドリンクデータを正しくまたは問題なく受信するかどうかを示す、請求項３８から４０のいずれか一項に記載の無線装置。
【請求項４２】
前記サイドリンクフィードバック情報が１ビットの指示情報を含み、前記１ビットの指示情報が、肯定応答（ＡＣＫ）情報または否定応答（ＮＡＣＫ）情報を示す、請求項３８から４１のいずれか一項に記載の無線装置。
【請求項４３】
コンピュータに、請求項１から７のいずれか一項に記載の方法を実行させる、プログラム。
【請求項４４】
コンピュータに、請求項８から１４のいずれか一項に記載の方法を実行させる、プログラム。
【請求項４５】
コンピュータに、請求項１５から２１のいずれか一項に記載の方法を実行させる、プログラム。
【請求項４６】
無線装置であって、
１または複数のプロセッサと、
メモリとを備え、
前記１または複数のプロセッサが前記メモリに通信可能に接続され、前記１または複数のプロセッサが、前記メモリ内に格納されたコンピュータ命令を実行して前記無線装置が請求項１から７のいずれか一項に記載の方法を実行することを可能にする、無線装置。
【請求項４７】
無線装置であって、
１または複数のプロセッサと、
メモリとを備え、
前記１または複数のプロセッサが前記メモリに通信可能に接続され、前記１または複数のプロセッサが、前記メモリ内に格納されたコンピュータ命令を実行して前記無線装置が請求項８から１４のいずれか一項に記載の方法を実行することを可能にする、無線装置。
【請求項４８】
無線装置であって、
１または複数のプロセッサと、
メモリとを備え、
前記１または複数のプロセッサが前記メモリに通信可能に接続され、前記１または複数のプロセッサが、前記メモリ内に格納されたコンピュータ命令を実行して前記無線装置が請求項１５から２１のいずれか一項に記載の方法を実行することを可能にする、無線装置。
【発明の詳細な説明】
【技術分野】
【０００１】
本願は、２０１８年８月７日に中国特許庁に出願された、「サイドリンク情報、通信デバイス、およびネットワークデバイスのためのリソース構成方法」と題する中国特許出願第２０１８１０８９２３３１．９号の優先権を主張し、これはその全体が参照により本明細書に組み込まれている。
【０００２】
本願の実施形態は、通信システム、特に、サイドリンク情報、通信デバイス、およびネットワークデバイスのためのリソース構成方法に関する。
【背景技術】
【０００３】
デバイス間（Ｄｅｖｉｃｅ  ｔｏ  Ｄｅｖｉｃｅ，Ｄ２Ｄ）通信、車両間（Ｖｅｈｉｃｌｅ  ｔｏ  Ｖｅｈｉｃｌｅ，Ｖ２Ｖ）通信、車両対歩行者（Ｖｅｈｅｃｌｅ  ｔｏ  Ｐｅｄｅｓｔｒｉａｎ，Ｖ２Ｐ）通信、または車両対インフラストラクチャ／ネットワーク（Ｖｅｈｉｃｌｅ  ｔｏ  Ｉｎｆｒａｓｔｒｕｃｔｕｒｅ／Ｎｅｔｗｏｒｋ，Ｖ２Ｉ／Ｎ）通信は、端末デバイス（ｔｅｒｍｉｎａｌ  ｄｅｖｉｃｅ）間の直接的な通信のための技術である。端末デバイス間の直接的な伝送は、サイドリンク（Ｓｉｄｅｌｉｎｋ，ＳＬ）伝送として定義される。Ｖ２Ｖ、Ｖ２Ｐ、およびＶ２Ｉ／Ｎは、Ｖ２Ｘ、すなわち、すべてのものとの車両通信として総称される。
【０００４】
例えば、Ｖ２Ｘ通信において、端末デバイスは、アクセスネットワークデバイスによって割り当てられたリソース上で別の端末デバイスと制御情報およびデータの通信を実行し得る。既存のＶ２Ｘ通信では、アクセスネットワークデバイスは、端末デバイスのアップリンクリソース、ダウンリンクリソース、およびフレキシブルリソースを構成し、端末デバイス間でサイドリンク情報を伝送するための端末デバイスのサイドリンクリソースを構成しない。
【発明の概要】
【０００５】
本願の実施形態は、端末デバイス間でサイドリンク情報を伝送するためのリソースを構成するための、サイドリンク情報、通信デバイス、ネットワークデバイス、およびシステムのためのリソース構成方法を提供する。
【０００６】
第１の態様によれば、サイドリンク情報のためのリソース構成方法が提供される。本方法は、ネットワークデバイスまたはネットワークデバイス内のチップによって実行され得る。本方法は、ネットワークデバイスが第１の指示情報を第１の通信デバイスに送信する段階であって、第１の指示情報が第１のリソース、第２のリソース、および第３のリソースを示し、第１のリソースがアップリンク情報を伝送するために使用され、第２のリソースがダウンリンク情報を伝送するために使用され、第３のリソースが、第１の情報を伝送するためまたは情報を伝送しないために使用されてよく、第１の情報が、アップリンク情報、ダウンリンク情報、およびサイドリンク情報のうちの少なくとも１つを含む、送信する段階と、ネットワークデバイスが第２の指示情報を第１の通信デバイスに送信する段階であって、第２の指示情報が第４のリソースを示し、第４のリソースが第１のリソース、第３のリソース、または第１のリソースおよび第３のリソースに属しており、第４のリソースが、第１の通信デバイスと第２の通信デバイスとの間でサイドリンク情報を伝送するために使用される、送信する段階と、を含む。
【０００７】
本願の本実施形態によれば、ネットワークデバイスは、第１の通信デバイスのための第１のリソース、第２のリソース、および第３のリソースを構成し、第１のリソース、第３のリソース、または第１のリソースおよび第３のリソース上で第１の通信デバイスのための第４のリソースを構成し、その結果、第１の通信デバイスは、第４のリソース上でサイドリンク情報を第２の通信デバイスに伝送することができる。
【０００８】
可能な設計例において、第２の指示情報は第５のリソースを示すためにさらに使用され、第５のリソースは第３のリソースに属しており、第５のリソースは、アップリンク情報およびダウンリンク情報のうちの少なくとも１つを伝送するために使用される。このようにして、アップリンクリソースおよびダウンリンクリソースが再構成され得る。
【０００９】
可能な設計例において、ネットワークデバイスが第２の指示情報を第１の通信デバイスに送信する段階の前に、本方法はさらに、ネットワークデバイスが第３の指示情報を第１の通信デバイスに送信する段階を含み、第３の指示情報が第５のリソースを示し、第５のリソースが第３のリソースに属しており、第５のリソースが、アップリンク情報およびダウンリンク情報のうちの少なくとも１つを伝送するために使用される。このようにして、アップリンクリソースおよびダウンリンクリソースが再構成され得る。
【００１０】
可能な設計例において、ネットワークデバイスは第４の指示情報を第１の通信デバイスに送信し、第４の指示情報はサイドリンクスロットフォーマットインジケータ無線ネットワークの一時的識別子を示し、ネットワークデバイスは、サイドリンクスロットフォーマットインジケータ無線ネットワークの一時的識別子を使用することによって、第１の指示情報、第２の指示情報、および第３の指示情報をスクランブルする。このようにして、第１の通信デバイスのみが、第１の指示情報、第２の指示情報、および第３の指示情報を取得することができる。
【００１１】
可能な設計例において、第２の指示情報は、第４のリソースのものである、スロット位置情報、ミニスロット位置情報、開始シンボル位置情報、占有されるシンボルの数、占有されるミニスロットの数、および占有されるスロットの数のうちの少なくとも１つを含む。このようにして、第４のリソースが構成され得る。
【００１２】
第２の態様によれば、サイドリンク情報のためのリソース構成方法が提供される。本方法は、第１の通信デバイス、または第１の通信デバイス内のチップによって実行され得る。本方法は、第１の通信デバイスがネットワークデバイスから第１の指示情報を受信する段階であって、第１の指示情報は、第１のリソース、第２のリソース、および第３のリソースを示し、第１のリソースはアップリンク情報を伝送するために使用され、第２のリソースはダウンリンク情報を伝送するために使用され、第３のリソースは、第１の情報を伝送するためまたは情報を伝送しないために使用されてもよく、第１の情報は、アップリンク情報、ダウンリンク情報、およびサイドリンク情報のうちの少なくとも１つを含む、受信する段階と；第１の通信デバイスがネットワークデバイスから第２の指示情報を受信する段階であって、第２の指示情報が第４のリソースを示し、第４のリソースが、第１のリソース、第３のリソース、または第１のリソースおよび第３のリソースに属しており、第４のリソースが、第１の通信デバイスと第２の通信デバイスとの間でサイドリンク情報を伝送するために使用される、受信する段階と；第１の通信デバイスが第４のリソース上でサイドリンク情報を第２の通信デバイスに送信する段階と、を含む。
【００１３】
本願の本実施形態によれば、第１の通信デバイスは、第１のリソース、第２のリソース、第３のリソース、および第４のリソースを取得し、第４のリソース上でサイドリンク情報を第２の通信デバイスに伝送する。
【００１４】
可能な設計例において、第２の指示情報は第５のリソースを示ためにさらに使用され、第５のリソースは第３のリソースに属しており、第５のリソースは、アップリンク情報およびダウンリンク情報のうちの少なくとも１つを伝送するために使用される。このようにして、アップリンクリソースおよびダウンリンクリソースが再構成され得る。
【００１５】
可能な設計例において、第１の通信デバイスがネットワークデバイスから第２の指示情報を受信する段階の前に、本方法はさらに、第１の通信デバイスがネットワークデバイスから第３の指示情報を受信する段階を含み、第３の指示情報が第５のリソースを示し、第５のリソースが第３のリソースに属しており、第５のリソースが、アップリンク情報およびダウンリンク情報のうちの少なくとも１つを伝送するために使用される。このようにして、アップリンクリソースおよびダウンリンクリソースが再構成され得る。
【００１６】
可能な設計例において、第１の通信デバイスはネットワークデバイスから第４の指示情報を受信し、第４の指示情報はサイドリンクスロットフォーマットインジケータ無線ネットワークの一時的識別子を示し、第１の通信デバイスは、サイドリンクスロットフォーマットインジケータ無線ネットワークの一時的識別子を使用することによって、第１の指示情報、第２の指示情報、および第３の指示情報をデスクランブルする。このようにして、第１の通信デバイスのみが、第１の指示情報、第２の指示情報、および第３の指示情報を取得することができる。
【００１７】
可能な設計例において、第２の指示情報は、第４のリソースのものである、スロット位置情報、ミニスロット位置情報、開始シンボル位置情報、占有されるシンボルの数、占有されるミニスロットの数、および占有されるスロットの数のうちの少なくとも１つを含む。このようにして、第４のリソースが構成され得る。
【００１８】
可能な設計例において、サイドリンク情報は、サイドリンク制御情報およびサイドリンクデータのうちの少なくとも１つを含み、第１の通信デバイスは、サイドリンク制御情報に基づいて、第４のリソース上でサイドリンクデータを第２の通信デバイスに送信する。このようにして、第１の通信デバイスは、サイドリンク情報を第２の通信デバイスに送信することができる。
【００１９】
可能な設計例において、サイドリンク情報はサイドリンクフィードバック情報をさらに含み、サイドリンクフィードバック情報は、第２の通信デバイスがサイドリンクデータを正しく受信するかどうかを示し、第１の通信デバイスは、第４のリソース上で第２の通信デバイスからサイドリンクフィードバック情報を受信する。このようにして、第１の通信デバイスは、第２の通信デバイスからサイドリンクフィードバック情報を受信することができる。
【００２０】
第３の態様によれば、サイドリンク情報のためのリソース構成方法が提供される。本方法は、第２の通信デバイス、または第２の通信デバイス内のチップによって実行され得る。本方法は、第２の通信デバイスがネットワークデバイスから第１の指示情報を受信する段階であって、第１の指示情報が、第１のリソース、第２のリソース、および第３のリソースを示し、第１のリソースがアップリンク情報を伝送するために使用され、第２のリソースがダウンリンク情報を伝送するために使用され、第３のリソースが第１の情報を伝送するためまたは情報を伝送しないために使用されてもよく、第１の情報が、アップリンク情報、ダウンリンク情報、およびサイドリンク情報のうちの少なくとも１つを含む、受信する段階と；第２の通信デバイスがネットワークデバイスから第２の指示情報を受信する段階であって、第２の指示情報が第４のリソースを示し、第４のリソースが、第１のリソース、第３のリソース、まてゃあ第１のリソースおよび第３のリソースに属しており、第４のリソースが、第２の通信デバイスと第１の通信デバイスとの間でサイドリンク情報を伝送するために使用される、受信する段階と；第２の通信デバイスが第４のリソース上で第１の通信デバイスからサイドリンク情報を受信する段階と、を含む。
【００２１】
本願の本実施形態によれば、第２の通信デバイスは、第１のリソース、第２のリソース、第３のリソース、および第４のリソースを取得し、第４のリソース上でサイドリンク情報を第１の通信デバイスに伝送する。
【００２２】
可能な設計例において、第２の指示情報は第５のリソースを示すためにさらに使用され、第５のリソースは第３のリソースに属しており、第５のリソースは、アップリンク情報およびダウンリンク情報のうちの少なくとも１つを伝送するために使用される。このようにして、アップリンクリソースおよびダウンリンクリソースが再構成され得る。
【００２３】
可能な設計例において、第２の通信デバイスがネットワークデバイスから第２の指示情報を受信する前に、第２の通信デバイスがネットワークデバイスから第３の指示情報を受信し、第３の指示情報が第５のリソースを示し、第５のリソースが第３のリソースに属しており、第５のリソースが、アップリンク情報およびダウンリンク情報のうちの少なくとも１つを伝送するために使用される。このようにして、アップリンクリソースおよびダウンリンクリソースが再構成され得る。
【００２４】
可能な設計例において、第２の通信デバイスがネットワークデバイスから第４の指示情報を受信し、第４の指示情報がサイドリンクスロットフォーマットインジケータ無線ネットワークの一時的識別子を示し、第２の通信デバイスが、サイドリンクスロットフォーマットインジケータ無線ネットワークの一時的識別子を使用することによって、第１の指示情報、第２の指示情報、および第３の指示情報をデスクランブルする。このようにして、第２の通信デバイスのみが、第１の指示情報、第２の指示情報、および第３の指示情報を取得することができる。
【００２５】
可能な設計例において、第２の指示情報が、第４のリソースのものである、スロット位置情報、ミニスロット位置情報、開始シンボル位置情報、占有されるシンボルの数、占有されるミニスロットの数、および占有されるスロットの数のうちの少なくとも１つを含む。このようにして、第４のリソースが構成され得る。
【００２６】
可能な設計例において、サイドリンク情報がサイドリンク制御情報およびサイドリンクデータのうちの少なくとも１つを含み、第２の通信デバイスが、サイドリンク制御情報に基づいて、第４のリソース上で第１の通信デバイスからサイドリンクデータを受信する。このようにして、第２の通信デバイスが第１の通信デバイスからサイドリンク情報を受信することができる。
【００２７】
可能な設計例において、サイドリンク情報がサイドリンクフィードバック情報をさらに含み、サイドリンクフィードバック情報は、第２の通信デバイスがサイドリンクデータを正しく受信するかどうかを示し、第２の通信デバイスが、第４のリソース上でサイドリンクフィードバック情報を第１の通信デバイスに送信する。このようにして、第２の通信デバイスがサイドリンクフィードバック情報を第１の通信デバイスに送信することができる。
【００２８】
第４の態様によれば、ネットワークデバイスが提供される。ネットワークデバイスは、第１の指示情報を第１の通信デバイスに送信するように構成された送信ユニットであって、第１の指示情報が、第１のリソース、第２のリソース、および第３のリソースを示し、第１のリソースがアップリンク情報を伝送するために使用され、第２のリソースがダウンリンク情報を伝送するために使用され、第３のリソースが、第１の情報を伝送するためまたは情報を伝送しないために使用されてもよく、第１の情報が、アップリンク情報、ダウンリンク情報、およびサイドリンク情報のうちの少なくとも１つを含む、送信ユニットを含み、送信ユニットがさらに、第２の指示情報を第１の通信デバイスに送信するように構成され、第２の指示情報が第４のリソースを示し、第４のリソースが、第１のリソース、第３のリソース、または第１のリソースおよび第３のリソースに属しており、第４のリソースが第１の通信デバイスと第２の通信デバイスとの間でサイドリンク情報を伝送するために使用される。
【００２９】
本願の本実施形態によれば、ネットワークデバイスは、第１の通信デバイスのための第１のリソース、第２のリソース、および第３のリソースを構成し、第１のリソース、第３のリソース、または第１のリソースおよび第３のリソース上で第１の通信デバイスのための第４のリソースを構成し、その結果、第１の通信デバイスは、第４のリソース上でサイドリンク情報を第２の通信デバイスに伝送することができる。
【００３０】
可能な設計例において、第２の指示情報は第５のリソースを示すためにさらに使用され、第５のリソースは第３のリソースに属しており、第５のリソースは、アップリンク情報およびダウンリンク情報のうちの少なくとも１つを伝送するために使用される。このようにして、アップリンクリソースおよびダウンリンクリソースが再構成され得る。
【００３１】
可能な設計例において、送信ユニットが第２の指示情報を第１の通信デバイスに送信する前に、送信ユニットがさらに、第３の指示情報を第１の通信デバイスに送信うるように構成され、第３の指示情報が第５のリソースを示し、第５のリソースが第３のリソースに属しており、第５のリソースが、アップリンク情報およびダウンリンク情報のうちの少なくとも１つを伝送するために使用される。このようにして、アップリンクリソースおよびダウンリンクリソースが再構成され得る。
【００３２】
可能な設計例において、送信ユニットがさらに、第４の指示情報を第１の通信デバイスに送信するように構成され、第４の指示情報が、サイドリンクスロットフォーマットインジケータ無線ネットワークの一時的識別子を示し、ネットワークデバイスが処理ユニットをさらに含み、処理ユニットが、サイドリンクスロットフォーマットインジケータ無線ネットワークの一時的識別子を使用することによって、第１の指示情報、第２の指示情報、および第３の指示情報をスクランブルするように構成される。このようにして、第１の通信デバイスのみが、第１の指示情報、第２の指示情報、および第３の指示情報を取得することができる。
【００３３】
可能な設計例において、第２の指示情報は、第４のリソースのものである、スロット位置情報、ミニスロット位置情報、開始シンボル位置情報、占有されるシンボルの数、占有されるミニスロットの数、および占有されるスロットの数のうちの少なくとも１つを含む。このように、第４のリソースが構成され得る。
【００３４】
第５の態様によれば、第１の通信デバイスが提供される。第１の通信デバイスは、ネットワークデバイスから第１の指示情報を受信するように構成された受信ユニットであって、第１の指示情報が、第１のリソース、第２のリソース、および第３のリソースを示し、第１のリソースがアップリンク情報を伝送するために使用され、第２のリソースがダウンリンク情報を伝送するために使用され、第３のリソースが、第１の情報を伝送するめまたは情報を伝送しないために使用されてもよく、第１の情報が、アップリンク情報、ダウンリンク情報、およびサイドリンク情報のうちの少なくとも１つを含み、受信ユニットがさらに、ネットワークデバイスから第２の指示情報を受信するように構成され、第２の指示情報が第４のリソースを示し、第４のリソースが、第１のリソース、第３のリソース、または第１のリソースおよび第３のリソースに属しており、第４のリソースが、第１の通信デバイスと第２の通信デバイスとの間でサイドリンク情報を伝送するために使用される、受信ユニットと；第４のリソース上でサイドリンク情報を第２の通信デバイスに送信するように構成された送信ユニットと、を含む。
【００３５】
本願の本実施形態によれば、第１の通信デバイスは、第１のリソース、第２のリソース、第３のリソース、および第４のリソースを取得し、第４のリソース上でサイドリンク情報を第２の通信デバイスに伝送する。
【００３６】
可能な設計例において、第２の指示情報は第５のリソースを示ためにさらに使用され、第５のリソースは第３のリソースに属しており、第５のリソースは、アップリンク情報およびダウンリンク情報のうちの少なくとも１つを伝送するために使用される。このようにして、アップリンクリソースおよびダウンリンクリソースが再構成され得る。
【００３７】
可能な設計例において、受信ユニットがネットワークデバイスから第２の指示情報を受信する前に、受信ユニットがさらに、ネットワークデバイスから第３の指示情報を受信するように構成され、第３の指示情報が第５のリソースを示し、第５のリソースが第３のリソースに属しており、第５のリソースが、アップリンク情報およびダウンリンク情報のうちの少なくとも１つを伝送するために使用される。このようにして、アップリンクリソースおよびダウンリンクリソースが再構成され得る。
【００３８】
可能な設計例において、受信ユニットがさらに、ネットワークデバイスから第４の指示情報を受信するように構成され、第４の指示情報が、サイドリンクスロットフォーマットインジケータ無線ネットワークの一時的識別子を示し、第１の通信デバイスが処理ユニットをさらに含み、処理ユニットが、サイドリンクスロットフォーマットインジケータ無線ネットワークの一時的識別子を使用することによって、第１の指示情報、第２の指示情報、および第３の指示情報をデスクランブルするように構成される。このようにして、第１の通信デバイスのみが、第１の指示情報、第２の指示情報、および第３の指示情報を取得することができる。
【００３９】
可能な設計例において、第２の指示情報は、第４のリソースのものである、スロット位置情報、ミニスロット位置情報、開始シンボル位置情報、占有されるシンボルの数、占有されるミニスロットの数、および占有されるスロットの数のうちの少なくとも１つを含む。このようにして、第４のリソースが構成され得る。
【００４０】
可能な設計例において、サイドリンク情報は、サイドリンク制御情報およびサイドリンクデータのうちの少なくとも１つを含み、送信ユニットは、サイドリンク制御情報に基づいて、第４のリソース上でサイドリンクデータを第２の通信デバイスに送信する。このようにして、第１の通信デバイスが、サイドリンク情報を第２の通信デバイスに送信することができる。
【００４１】
可能な設計例において、サイドリンク情報がサイドリンクフィードバック情報をさらに含み、サイドリンクフィードバック情報は、第２の通信デバイスがサイドリンクデータを正しく受信するかどうかを示し、受信ユニットが、第４のリソース上で第２の通信デバイスからサイドリンクフィードバック情報を受信する。このようにして、第１の通信デバイスが、第２の通信デバイスからサイドリンクフィードバック情報を受信することができる。
【００４２】
第６の態様によれば、第２の通信デバイスが提供される。第２の通信デバイスは、ネットワークデバイスから第１の指示情報を受信するように構成された受信ユニットであって、第１の指示情報が、第１のリソース、第２のリソース、および第３のリソースを示し、第１のリソースがアップリンク情報を伝送するために使用され、第２のリソースがダウンリンク情報を伝送するために使用され、第３のリソースが、第１の情報を伝送するためまたは情報を伝送しないために使用されてもよく、第１の情報が、アップリンク情報、ダウンリンク情報、およびサイドリンク情報のうちの少なくとも１つを含む、受信ユニットを含み、受信ユニットがさらに、ネットワークデバイスから第２の指示情報を受信するように構成され、第２の指示情報が第４のリソースを示し、第４のリソースが、第１のリソース、第３のリソース、または第１のリソースおよび第３のリソースに属しており、第４のリソースが、第２の通信デバイスと第１の通信デバイスとの間でサイドリンク情報を伝送するために使用され、受信ユニットがさらに、第４のリソース上で第１の通信デバイスからサイドリンク情報を受信するように構成される。
【００４３】
本願の本実施形態によれば、第２の通信デバイスは、第１のリソース、第２のリソース、第３のリソース、および第４のリソースを取得し、第４のリソース上でサイドリンク情報を第１の通信デバイスに伝送する。
【００４４】
可能な設計例において、第２の指示情報は第５のリソースを示すためにさらに使用され、第５のリソースは第３のリソースに属しており、第５のリソースは、アップリンク情報およびダウンリンク情報のうちの少なくとも１つを伝送するために使用される。このようにして、アップリンクリソースおよびダウンリンクリソースが再構成され得る。
【００４５】
可能な設計例において、受信ユニットがネットワークデバイスから第２の指示情報を受信する前に、受信ユニットがさらに、ネットワークデバイスから第３の指示情報を受信するように構成され、第３の指示情報が第５のリソースを示し、第５のリソースが第３のリソースに属しており、第５のリソースが、アップリンク情報およびダウンリンク情報のうちの少なくとも１つを伝送するために使用される。このようにして、アップリンクリソースおよびダウンリンクリソースが再構成され得る。
【００４６】
可能な設計例において、受信ユニットがさらに、ネットワークデバイスから第４の指示情報を受信するように構成され、第４の指示情報が、サイドリンクスロットフォーマットインジケータ無線ネットワークの一時的識別子を示し、第２の通信デバイスが処理ユニットをさらに含み、処理ユニットが、サイドリンクスロットフォーマットインジケータ無線ネットワークの一時的識別子を使用することによって、第１の指示情報、第２の指示情報、および第３の指示情報をデスクランブルするように構成される。このようにして、第２の通信デバイスのみが、第１の指示情報、第２の指示情報、および第３の指示情報を取得することができる。
【００４７】
可能な設計例において、第２の指示情報は、第４のリソースのものである、スロット位置情報、ミニスロット位置情報、開始シンボル位置情報、占有されるシンボルの数、占有されるミニスロットの数、および占有されるスロットの数のうちの少なくとも１つを含む。このようにして、第４のリソースが構成され得る。
【００４８】
可能な設計例において、サイドリンク情報が、サイドリンク制御情報およびサイドリンクデータのうちの少なくとも１つを含み、受信ユニットが、サイドリンク制御情報に基づいて、第４のリソース上で第１の通信デバイスからサイドリンクデータを受信する。このようにして、第２の通信デバイスが、第１の通信デバイスからサイドリンク情報を受信することができる。
【００４９】
可能な設計例において、サイドリンク情報がサイドリンクフィードバック情報をさらに含み、サイドリンクフィードバック情報は、受信ユニットがサイドリンクデータを正しく受信するかどうかを示し、第２の通信デバイスが送信ユニットをさらに含み、送信ユニットが、第４のリソース上でサイドリンクフィードバック情報を第１の通信デバイスに送信するように構成される。このようにして、第２の通信デバイスが、サイドリンクフィードバック情報を第１の通信デバイスに送信することができる。
【００５０】
第７の態様によれば、サイドリンク情報のためのリソース構成方法が提供される。本方法は、ネットワークデバイス、またはネットワークデバイス内のチップによって実行され得る。本方法は、ネットワークデバイスが第１の指示情報を第１の通信デバイスに送信する段階であって、第１の指示情報が、第１のリソース、第２のリソース、および第３のリソースを示し、第１のリソースがアップリンク情報を伝送するために使用され、第２のリソースがダウンリンク情報を伝送するために使用され、第３のリソースが第１の情報を伝送するためまたは情報を伝送しないために使用されてもよく、第１の情報が、アップリンク情報、ダウンリンク情報、およびサイドリンク情報のうちの少なくとも１つを含む、送信する段階と；ネットワークデバイスが第１の制御情報を第１の通信デバイスに送信する段階であって、第１の制御情報が第６のリソースを示し、第６のリソースが第７のリソースに属しており、第７のリソースが、第１のリソース、第２のリソース、第３のリソース、および第４のリソースのうちの少なくとも１つを含み、第４のリソースが、サイドリンク情報を伝送するために使用される、送信する段階と；ネットワークデバイスが第５の指示情報を第１の通信デバイスに送信する段階であって、第５の指示情報が第８のリソースを示し、第８のリソースが第６のリソースに属しており、第８のリソース内の第４のリソースが、第１の通信デバイスと第２の通信デバイスとの間でサイドリンク情報を伝送するために使用される、送信する段階と、を含む。
【００５１】
可能な設計例において、ネットワークデバイスが第４の指示情報を第１の通信デバイスに送信し、第４の指示情報がサイドリンクスロットフォーマットインジケータ無線ネットワークの一時的識別子を示し、ネットワークデバイスが処理ユニットをさらに含み、処理ユニットが、サイドリンクスロットフォーマットインジケータ無線ネットワークの一時的識別子を使用することによって、第１の指示情報、第１の制御情報、および第５の指示情報のうちの少なくとも１つをスクランブルする。
【００５２】
第８の態様によれば、サイドリンク情報のためのリソース構成方法が提供される。本方法は、第１の通信デバイス、または第１の通信デバイス内のチップによって実行され得る。本方法は、第１の通信デバイスがネットワークデバイスから第１の指示情報を受信する段k内であって、第１の指示情報が、第１のリソース、第２のリソース、および第３のリソースを示し、第１のリソースがアップリンク情報を伝送するために使用され、第２のリソースがダウンリンク情報を伝送するために使用され、第３のリソースが、第１の情報を伝送するためまたは情報を伝送しないために使用されてもよく、第１の情報が、アップリンク情報、ダウンリンク情報、およびサイドリンク情報のうちの少なくとも１つを含む、受信する段階と；第１の通信デバイスがネットワークデバイスから第１の制御情報を受信する段階であって、第１の制御情報が第６のリソースを示し、第６のリソースが第７のリソースに属しており、第７のリソースが、第１のリソース、第２のリソース、第３のリソース、および第４のリソースのうちの少なくとも１つを含み、第４のリソースがサイドリンク情報を伝送するために使用される、受信する段階と；第１の通信デバイスがネットワークデバイスから第５の指示情報を受信する段階であって、第５の指示情報が第８のリソースを示し、第８のリソースが第６のリソースに属しており、第８のリソース内の第４のリソースが、第１の通信デバイスと第２の通信デバイスとの間でサイドリンク情報を伝送するために使用される、受信する段階と；第１の通信デバイスが第８のリソース内の第４のリソース上でサイドリンク情報を第２の通信デバイスに送信する段階と、を含む。
【００５３】
可能な設計例において、第１の通信デバイスがネットワークデバイスから第４の指示情報を受信し、第４の指示情報がサイドリンクスロットフォーマットインジケータ無線ネットワークの一時的識別子を示し、第１の通信デバイスが、サイドリンクスロットフォーマットインジケータ無線ネットワークの一時的識別子を使用することによって、第１の指示情報、第１の制御情報、および第５の指示情報のうちの少なくとも１つをデスクランブルする。
【００５４】
可能な設計例では、サイドリンク情報が、サイドリンク制御情報およびサイドリンクデータのうちの少なくとも１つを含み、第１の通信デバイスが、サイドリンク制御情報に基づいて、第８のリソース内の第４のリソース上でサイドリンクデータを第２の通信デバイスに送信する。
【００５５】
可能な設計例において、サイドリンク情報がサイドリンクフィードバック情報をさらに含み、サイドリンクフィードバック情報は、第２の通信デバイスがサイドリンクデータを正しく受信するかどうかを示し、第１の通信デバイスが、第８のリソース内の第４のリソース上で第２の通信デバイスからサイドリンクフィードバック情報を受信する。    
【００５６】
第９の態様によれば、サイドリンク情報のためのリソース構成方法が提供される。本方法は、第２の通信デバイス、または第２の通信デバイス内のチップによって実行され得る。本方法は、第２の通信デバイスがネットワークデバイスから第１の指示情報を受信する段階であって、第１の指示情報が、第１のリソース、第２のリソース、および第３のリソースを示し、第１のリソースがアップリンク情報を伝送するために使用され、第２のリソースがダウンリンク情報を伝送するために使用され、第３のリソースが、第１の情報を伝送するためまたは情報を伝送しないために使用されてもよく、第１の情報が、アップリンク情報、ダウンリンク情報、およびサイドリンク情報のうちの少なくとも１つを含む、受信する段階と；第２の通信デバイスがネットワークデバイスから第１の制御情報を受信する段階であって、第１の制御情報が第６のリソースを示し、第６のリソースが第７のリソースに属しており、第７のリソースが、第１のリソース、第２のリソース、第３のリソース、および第４のリソースのうちの少なくとも１つを含み、第４のリソースがサイドリンク情報を伝送するために使用される、受信する段階と；第２の通信デバイスがネットワークデバイスから第５の指示情報を受信する段階であって、第５の指示情報が第８のリソースを示し、第８のリソースが第６のリソースに属しており、第８のリソース内の第４のリソースが、第１の通信デバイスと第２の通信デバイスとの間でサイドリンク情報を伝送するために使用される、受信する段階と；第２の通信デバイスが第８のリソース内の第４のリソース上で第１の通信デバイスからサイドリンク情報を受信する段階と、を含む。
【００５７】
可能な設計例において、第２の通信デバイスがネットワークデバイスから第４の指示情報を受信し、第４の指示情報がサイドリンクスロットフォーマットインジケータ無線ネットワークの一時的識別子を示し、第２の通信デバイスが、サイドリンクスロットフォーマットインジケータ無線ネットワークの一時的識別子を使用することによって、第１の指示情報、第１の制御情報、および第５の指示情報のうちの少なくとも１つをデスクランブルする。
【００５８】
可能な設計例において、サイドリンク情報がサイドリンク制御情報およびサイドリンクデータのうちの少なくとも１つを含み、第２の通信デバイスが、サイドリンク制御情報に基づいて、第８のリソース内の第４のリソース上で第１の通信デバイスからサイドリンクデータを受信する。
【００５９】
可能な設計例において、サイドリンク情報がサイドリンクフィードバック情報をさらに含み、サイドリンクフィードバック情報は、第２の通信デバイスがサイドリンクデータを正しく受信するかどうかを示し、第２の通信デバイスが、第８のリソース内の第４のリソース上でサイドリンクフィードバック情報を第１の通信デバイスに送信する。
【００６０】
第１０の態様によれば、ネットワークデバイスが提供される。ネットワークデバイスは、第１の指示情報を第１の通信デバイスに送信するように構成された送信ユニットであって、第１の指示情報が、第１のリソース、第２のリソース、および第３のリソースを示し、第１のリソースがアップリンク情報を伝送するために使用され、第２のリソースがダウンリンク情報を伝送するために使用され、第３のリソースが、第１の情報を伝送するためまたは情報を伝送しないために使用されてもよく、第１の情報が、アップリンク情報、ダウンリンク情報、およびサイドリンク情報のうちの少なくとも１つを含む、送信ユニットを含み、送信ユニットがさらに、第１の制御情報を第１の通信デバイスに送信するように構成され、第１の制御情報が第６のリソースを示し、第６のリソースが第７のリソースに属しており、第７のリソースが、第１のリソース、第２のリソース、第３のリソース、および第４のリソースのうちの少なくとも１つを含み、第４のリソースがサイドリンク情報を伝送するために使用され、送信ユニットがさらに、第５の指示情報を第１の通信デバイスに送信するように構成され、第５の指示情報が第８のリソースを示し、第８のリソースが第６のリソースに属しており、第８のリソース内の第４のリソースが、第１の通信デバイスと第２の通信デバイスとの間でサイドリンク情報を伝送するために使用される。
【００６１】
可能な設計例において、送信ユニットがさらに、第４の指示情報を第１の通信デバイスに送信するように構成され、第４の指示情報がサイドリンクスロットフォーマットインジケータ無線ネットワークの一時的識別子を示し、ネットワークデバイスが処理ユニットをさらに含み、処理ユニットが、サイドリンクスロットフォーマットインジケータ無線ネットワークの一時的識別子を使用することによって、第１の指示情報、第１の制御情報、および第５の指示情報のうちの少なくとも１つをスクランブルする。
【００６２】
第１１の態様によれば、第１の通信デバイスが提供される。第１の通信デバイスは、ネットワークデバイスから第１の指示情報を受信するように構成された受信ユニットであって、第１の指示情報が、第１のリソース、第２のリソース、および第３のリソースを示し、第１のリソースがアップリンク情報を伝送するために使用され、第２のリソースがダウンリンク情報を伝送するために使用され、第３のリソースが第１の情報を伝送するためまたは情報を伝送しないために使用されてもよく、第１の情報が、アップリンク情報、ダウンリンク情報、およびサイドリンク情報のうちの少なくとも１つを含み、受信ユニットがさらに、ネットワークデバイスから第１の制御情報を受信するように構成され、第１の制御情報が第６のリソースを示し、第６のリソースが第７のリソースに属しており、第７のリソースが、第１のリソース、第２のリソース、第３のリソース、および第４のリソースのうちの少なくとも１つを含み、第４のリソースがサイドリンク情報を伝送するために使用され、受信ユニットがさらに、ネットワークデバイスから第５の指示情報を受信するように構成され、第５の指示情報が第８のリソースを示し、第８のリソースが第６のリソースに属しており、第８のリソース内の第４のリソースが、第１の通信デバイスと第２の通信デバイスとの間でサイドリンク情報を伝送するために使用される、受信ユニットと；第８のリソース内の第４のリソース上でサイドリンク情報を第２の通信デバイスに送信するように構成された送信ユニットと、を含む。
【００６３】
可能な設計例において、受信ユニットがさらに、ネットワークデバイスから第４の指示情報を受信するように構成され、第４の指示情報が、サイドリンクスロットフォーマットインジケータ無線ネットワークの一時的識別子を示し、第１の通信デバイスが処理ユニットをさらに含み、処理ユニットが、サイドリンクスロットフォーマットインジケータ無線ネットワークの一時的識別子を使用することによって、第１の指示情報、第１の制御情報、および第５の指示情報のうちの少なくとも１つをデスクランブルするように構成される。
【００６４】
可能な設計例において、サイドリンク情報は、サイドリンク制御情報およびサイドリンクデータのうちの少なくとも１つを含み、送信ユニットは、サイドリンク制御情報に基づいて、第８のリソース内の第４のリソース上でサイドリンクデータを第２の通信デバイスに送信する。
【００６５】
可能な設計例において、サイドリンク情報がサイドリンクフィードバック情報をさらに含み、サイドリンクフィードバック情報は、第２の通信デバイスがサイドリンクデータを正しく受信するかどうかを示し、受信ユニットが、第８のリソース内の第４のリソース上で第２の通信デバイスからサイドリンクフィードバック情報を受信する。
【００６６】
第１２の態様によれば、第２の通信デバイスが提供される。第２の通信デバイスは、ネットワークデバイスから第１の指示情報を受信するように構成された受信ユニットであって、第１の指示情報が、第１のリソース、第２のリソース、および第３のリソースを示し、第１のリソースがアップリンク情報を伝送するために使用され、第２のリソースがダウンリンク情報を伝送するために使用され、第３のリソースが第１の情報を伝送するためまたは情報を伝送しないために使用されてもよく、第１の情報が、アップリンク情報、ダウンリンク情報、およびサイドリンク情報のうちの少なくとも１つを含む、受信ユニットを含み、受信ユニットがさらに、ネットワークデバイスから第１の制御情報を受信するように構成され、第１の制御情報が第６のリソースを示し、第６のリソースが第７のリソースに属しており、第７のリソースが、第１のリソース、第２のリソース、第３のリソース、および第４のリソースのうちの少なくとも１つを含み、第４のリソースがサイドリンク情報を伝送するために使用され、受信ユニットがさらに、ネットワークデバイスから第５の指示情報を受信するように構成され、第５の指示情報が第８のリソースを示し、第８のリソースが第６のリソースに属しており、第８のリソース内の第４のリソースが、第１の通信デバイスと第２の通信デバイスとの間でサイドリンク情報を伝送するために使用され、受信ユニットがさらに、第８のリソース内の第４のリソース上で第１の通信デバイスからサイドリンク情報を受信するように構成される。
【００６７】
可能な設計例において、受信ユニットがさらに、ネットワークデバイスから第４の指示情報を受信するように構成され、第４の指示情報が、サイドリンクスロットフォーマットインジケータ無線ネットワークの一時的識別子を示し、第２の通信デバイスが処理ユニットをさらに含み、処理ユニットが、サイドリンクスロットフォーマットインジケータ無線ネットワークの一時的識別子を使用することによって、第１の指示情報、第１の制御情報、および第５の指示情報のうちの少なくとも１つをデスクランブルするように構成される。
【００６８】
可能な設計例において、サイドリンク情報が、サイドリンク制御情報およびサイドリンクデータのうちの少なくとも１つを含み、受信ユニットが、サイドリンク制御情報に基づいて、第８のリソース内の第４のリソース上で第１の通信デバイスからサイドリンクデータを受信する。
【００６９】
可能な設計例において、サイドリンク情報がサイドリンクフィードバック情報をさらに含み、サイドリンクフィードバック情報は、第２の通信デバイスがサイドリンクデータを正しく受信するかどうかを示し、第２の通信デバイスが送信ユニットをさらに含み、送信ユニットが、第８のリソース内の第４のリソース上でサイドリンクフィードバック情報を第１の通信デバイスに送信するように構成される。
【００７０】
第１３の態様によれば、本願の一実施形態は、前述の態様による方法を実行するように構成されたチップを提供する。チップは、メモリ、プロセッサ、伝送器、受信器、および／または送受信器の機能を有する部分を含み得、メモリは、前述の態様による方法を実行するための命令、コード、および／またはデータを格納する。
【００７１】
第１４の態様によれば、本願の一実施形態はシステムを提供する。システムは、前述の態様における、ネットワークデバイス、第１の通信デバイス、および第２の通信デバイスを含む。
【図面の簡単な説明】
【００７２】
【図１】本願の一実施形態によるシステムの模式アーキテクチャ図である。
【００７３】
【図２】本願の一実施形態によるネットワークデバイスを示す。
【００７４】
【図３】本願の一実施形態による第１の通信デバイスを示す。
【００７５】
【図４】本願の一実施形態による第２の通信デバイスを示す。
【００７６】
【図５】本願の一実施形態による、サイドリンク情報、ネットワークデバイス、第１の通信デバイス、第２の通信デバイス、およびシステムのためのリソース構成方法を示す。
【００７７】
【図６】本願の一実施形態によるリソース構成の概略図である。
【００７８】
【図７】本願の一実施形態によるリソース構成方法の概略図である。
【発明を実施するための形態】
【００７９】
図１は、本発明の一実施形態による、考えられるＶ２Ｘ通信システムの模式アーキテクチャ図である。図１に示されるように、Ｖ２Ｘ通信システムのアーキテクチャはサイドリンク情報の伝送を含み、この通信システムは、ネットワークデバイス１１と、第１の通信デバイス１２と、第２の通信デバイス１３とを含む。サイドリンク情報の伝送は、第１の通信デバイス１２と第２の通信デバイス１３との間のサイドリンク制御情報、サイドリンクデータ、またはサイドリンク肯定応答情報の伝送を含む。ネットワークデバイス１１は、第１の通信デバイス１２および第２の通信デバイス１３の、サイドリンク情報を伝送するために使用されるリソースを構成する。ネットワークデバイス１１は、指示情報を第１の通信デバイス１２および第２の通信デバイス１３に送信し、指示情報は、無線リソース制御（Ｒａｄｉｏ  Ｒｅｓｏｕｒｃｅ  Ｃｏｎｔｒｏｌ，ＲＲＣ）シグナリングであり得、ＲＲＣシグナリングは、サイドリンク情報を伝送するために使用されるサイドリンクリソースを示し、第１の通信デバイス１２は、指示情報によって示されたサイドリンクリソース上でサイドリンク情報を第２の通信デバイス１３に伝送する。
【００８０】
本願において、１または複数の「第２の通信デバイス」があってもよい。複数の第２の通信デバイスがある場合、第１の通信デバイスは、ネットワークデバイス１１によって割り当てられたサイドリンクリソース上でサイドリンク情報を複数の第２の通信デバイスに伝送する。説明し易くするために、本発明における説明のために１つの通信デバイスが例として使用される。しかしながら、本発明に含まれる第２の通信デバイスの数は、これを含むがこれに限定されない。
【００８１】
本願におけるネットワークデバイスは、無線アクセスネットワーク内に配置され、第１の通信デバイスおよび第２の通信デバイスのための無線通信機能を提供するように構成された装置である。ネットワークデバイスは、基地局（Ｂａｓｅ  Ｓｔａｔｉｏｎ，ＢＳ）、例えばマクロ基地局、マイクロ基地局、中継局、もしくはアクセスポイントなどであり得、または、別の形態のデバイス、例えば街灯もしくは道路側ユニット（Ｒｏａｄ  Ｓｉｄｅ  Ｕｎｉｔ，ＲＳＵ）であり得る。異なる無線アクセス技術を使用するシステムにおいて、ネットワークデバイス機能を有するデバイスは異なる呼称を有し得る。例えば、第５世代の５Ｇネットワークでは、デバイスはネットワークデバイスまたは基地局であり、ロングタームエボリューション（Ｌｏｎｇ  Ｔｅｒｍ  Ｅｖｏｌｕｔｉｏｎ，ＬＴＥ）ネットワークでは、デバイスは進化型ノードＢ（ｅｖｏｌｖｅｄ  ＮｏｄｅＢ、略称ではｅＮＢまたはｅＮｏｄｅＢ）と称され、第３世代の３Ｇネットワークでは、デバイスはノードＢ（ＮｏｄｅＢ）などと称される。あるいは、デバイスはＶ２Ｘ通信におけるＲＳＵ、またはネットワークデバイスもしくは基地局におけるチップもしくはシステムオンチップ（Ｓｙｓｔｅｍ−ｏｎ−Ｃｈｉｐ，ＳＯＣ）である。説明し易くするために、本願において、第１の通信デバイスおよび第２の通信デバイスのための無線通信機能を提供する前述の装置は、ネットワークデバイスとして総称される。
【００８２】
本願における第１の通信デバイスおよび第２の通信デバイスは、これらのデバイス内に無線通信機能もしくはユニット、コンポーネント、装置、チップ、またはＳｏＣを有する様々なデバイスを含み得る。無線通信機能を有するデバイスは、例えば、車両載置デバイス、ウェアラブルデバイス、コンピューティングデバイス、または無線モデム、移動局（Ｍｏｂｉｌｅ  Ｓｔａｔｉｏｎ，ＭＳ）、端末（ｔｅｒｍｉｎａｌ）、もしくはユーザ機器（Ｕｓｅｒ  Ｅｑｕｉｐｍｅｎｔ，ＵＥ）に接続された別のデバイスであり得る。
【００８３】
特定の例を参照して、以下に、第１の通信デバイス、第２の通信デバイス、およびネットワークデバイスを例として使用することにより本願の実施形態をより詳細に説明する。
【００８４】
図５は、本願の一実施形態による、サイドリンク情報、ネットワークデバイス、第１の通信デバイス、第２の通信デバイス、およびシステムのためのリソース構成方法を示す。図２に示されるように、ネットワークデバイスは、送信ユニット２１と処理ユニット２２とを含み、受信ユニット２３をさらに含み得る。送信ユニット２１および受信ユニット２３は、送受信ユニットで置き換えられてもよい。図３に示されるように、第１の通信デバイスは、送信ユニット３１と、処理ユニット３２と、受信ユニット３３とを含む。送信ユニット３１および受信ユニット３３は、送受信ユニットで置き換えられてもよい。図４に示されるように、第２の通信デバイスは、送信ユニット４１と、処理ユニット４２と、受信ユニット４３とを含む。送信ユニット４１および受信ユニット４３は、送受信ユニットで置き換えられてもよい。
【００８５】
第１の通信デバイスおよび第２の通信デバイスが端末デバイスまたはユーザ機器である場合、かつネットワークデバイスが基地局である場合、処理ユニット２２から処理ユニット４２はプロセッサであり得、送信ユニット２１から送信ユニット４１および受信ユニット２３から受信ユニット４３は送受信器であり得、送信ユニット２１から送信ユニット４１は伝送器であり得、受信ユニット２３から受信ユニット４３は受信器であり得る。送受信器、伝送器、または受信器は、無線周波数回路であり得る。第１の通信デバイス、第２の通信デバイス、またはネットワークデバイスが格納ユニットを含む場合、格納ユニットは、コンピュータ命令を格納するように構成される。プロセッサはメモリに通信可能に接続され、プロセッサは、メモリ内に格納されたコンピュータ命令を実行して、第１の通信デバイス、第２の通信デバイス、またはネットワークデバイスが図５における実施形態の方法を実行することを可能にする。プロセッサは、汎用中央処理装置（ＣＰＵ）、マイクロプロセッサ、または特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）であり得る。
【００８６】
第１の通信デバイス、第２の通信デバイス、またはネットワークデバイスがチップである場合、処理ユニット２２から処理ユニット４２は、例えばプロセッサであり得、送信ユニット２１から送信ユニット４１は出力インタフェース、ピン、または回路などであり得、受信ユニット２３から受信ユニット４３は、入力インタフェース、ピン、または回路などであり得、送受信ユニットは、例えば入／出力インタフェース、ピン、または回路であり得る。処理ユニットは、第１の通信デバイス、第２の通信デバイス、またはネットワークデバイスが図５の方法を実行するように、格納ユニットに格納されたコンピュータ実行可能命令を実行し得る。任意に、格納ユニットはチップ内の格納ユニット、例えば、レジスタもしくはバッファであり、または、格納ユニットは、端末内であるがチップの外側にある格納ユニット、例えば、リードオンリメモリ（Ｒｅａｄ  Ｏｎｌｙ  Ｍｅｍｏｒｙ，ＲＯＭ）、静的情報および命令を格納することができる別のタイプの静的格納デバイス、もしくはランダムアクセスメモリ（Ｒａｎｄｏｍ  Ａｃｃｅｓｓ  Ｍｅｍｏｒｙ，ＲＡＭ）であり得る。
【００８７】
図５における実施形態の具体的な段階は、以下の通りである。
【００８８】
段階５１。ネットワークデバイスの送信ユニット２１は第１の指示情報を第１の通信デバイスに送信し、第１の通信デバイスの受信ユニット３３がネットワークデバイスから第１の指示情報を受信する。ここで、第１の指示情報は、第１のリソース、第２のリソース、および第３のリソースを示し、第１のリソースはアップリンク情報を伝送するために使用され、第２のリソースはダウンリンク情報を伝送するために使用され、第３のリソースは、第１の情報を伝送するためまたは情報を伝送しないために使用されてもよく、第１の情報は、アップリンク情報、ダウンリンク情報、およびサイドリンク情報のうちの少なくとも１つを含む。第３のリソースはフレキシブルリソースであり得る。フレキシブルリソースは、サービス要件もしくは他の要因に基づく特定の目的のために、ネットワークデバイスにより、またはプロトコルにおいてフレキシブルに設定され得るリソースである。例えば、第１の通信デバイスがアップリンク情報をネットワークデバイスに送信する必要があるとき、ネットワークデバイスは、アップリンク情報を伝送するために使用されるリソースとしてフレキシブルリソースを構成し得る。以下の説明においてフレキシブルリソースが例として使用される。ネットワークデバイスの送信ユニットは、第１の指示情報を第２の通信デバイスにさらに送信し得る。本実施形態では、第１の通信デバイスおよび第２の通信デバイスが例として使用される。実際には、ネットワークデバイスの送信ユニットは、第１の指示情報を、第１の通信デバイスおよび第２の通信デバイス以外の別の通信デバイスにさらに送信し得る。第１の指示情報はＲＲＣシグナリングであり得、第１の指示情報は、時分割二重サイドリンク構成共通（ｔｄｄ−ＳＬ構成共通）情報を含む。ネットワークデバイスは、ＲＲＣシグナリングにおけるｔｄｄ−ＳＬ構成共通情報を使用することによって、ネットワークデバイスに対応するサービングセル内の通信デバイスのためのアップリンクリソース、ダウンリンクリソース、および／またはフレキシブルリソースを構成し、サービングセル内の通信デバイスは、受信したｔｄｄ−ＳＬ構成共通情報を使用することによってリソース構成情報を取得する。リソース構成情報は、サブフレーム構成、スロット構成、ミニスロット構成、およびシンボル構成のうちの少なくとも１つのタイプの構成情報を含む。ＲＲＣシグナリングに含まれ、第１の指示情報においてリソース構成機能を実装する情報の名称はｔｄｄ−ＳＬ構成共通に限定されず、ＲＲＣシグナリングに含まれる情報の名称は代替的には別のタイプのものであり得る。
【００８９】
第１のリソースから第３のリソースは、サブフレーム、スロット、ミニスロット、またはシンボルであり得る。１つのスロットは、１４または１２のシンボルを含む。以下の説明では、１つのスロットが１４のシンボルを含む例が使用される。例えば、図６に示されるように、ｎ番目のスロットから（ｎ＋ｋ）番目のスロットのものであり、ネットワークデバイスによって第１の通信デバイスおよび第２の通信デバイスに送信される第１の指示情報によって示されるリソース構成情報が図面に含まれる。具体的には、第１の指示情報は、アップリンク情報を伝送するために使用されるスロットｎからスロット（ｎ＋ｋ）の時間リソース、ダウンリンク情報を伝送するために使用されるスロットｎからスロット（ｎ＋ｋ）の時間リソース、および第３のリソースとして使用されるリソースを示し得る。ダウンリンク情報がスロットｎからスロット（ｎ＋２）で伝送され、ダウンリンク情報がスロット（ｎ+３）のシンボル０からシンボル３で伝送され、シンボル４からシンボル９は第３のリソースとして使用され、アップリンク情報がシンボル１０からシンボル１３で伝送され、スロット（Ｎ＋４）からスロット（ｎ＋６）は第３のリソースであり、アップリンク情報がスロット（ｎ＋ｋ）で伝送される。
【００９０】
段階５１の前に、ネットワークデバイスの処理ユニット２２は、アップリンク情報を伝送するために使用された第１のリソース、ダウンリンク情報を伝送するために使用された第２のリソース、および第１の情報を伝送するためまたは情報を伝送しないために使用された第３のリソースを決定し得、第１の情報は、アップリンク情報、ダウンリンク情報、およびサイドリンク情報のうちの少なくとも１つを含む。
【００９１】
段階５２。ネットワークデバイスの送信ユニット２１が第２の指示情報を第１の通信デバイスに送信し、第１の通信デバイスの受信ユニット３３がネットワークデバイスから第２の指示情報を受信する。ここで、第２の指示情報は第４のリソースを示し、第４のリソースは第１のリソースに属しているか、第４のリソースは第３のリソースに属しているか、または第４のリソースは第１のリソースおよび第３のリソースに属しており、第４のリソースは、第１の通信デバイスと第２の通信デバイスとの間でサイドリンク情報を伝送するために使用される。  第２の指示情報は、第４のリソースのものである、スロット位置情報、ミニスロット位置情報、開始シンボル位置情報、占有されるシンボルの数、占有されるミニスロットの数、および占有されるスロットの数のうちの少なくとも１つを含み得る。ネットワークデバイスの送信ユニット２１は、第２の指示情報を第２の通信デバイスにさらに送信し得る。本実施形態では、第１の通信デバイスおよび第２の通信デバイスが例として使用される。実際には、ネットワークデバイスの送信ユニットは、第２の指示情報を、第１の通信デバイスおよび第２の通信デバイス以外の別の通信デバイスにさらに送信し得る。第２の指示情報はＲＲＣシグナリングであり得、第２の指示情報は、時分割二重サイドリンク構成専用（ｔｄｄ−ＳＬ構成専用）情報を含む。ネットワークデバイスは、ＲＲＣシグナリングにおけるｔｄｄ−ＳＬ構成専用情報を使用することによって、特定ユーザ向け通信デバイスのためのサイドリンク伝送のために使用されるリソースを構成し、特定ユーザ向け通信デバイスは、受信したｔｄｄ−ＳＬ構成専用情報を使用することによってリソース構成情報を取得する。ｔｄｄ−ＳＬ構成専用情報は、アップリンクリソース、フレキシブルリソース、またはアップリンクリソースおよびフレキシブルリソースを特定セル向け構成リソース内でさらに構成するためにのみ使用することができ、リソース構成情報は、サブフレーム構成、スロット構成、ミニスロット構成、およびシンボル構成のうちの少なくとも１つのタイプの構成情報を含む。ＲＲＣシグナリングに含まれ、第２の指示情報においてリソース構成機能を実装する情報の名称はｔｄｄ−ＳＬ構成専用に限定されず、ＲＲＣシグナリングに含まれる情報の名称は代替的には別のタイプのものであり得る。
【００９２】
第４のリソースは、サブフレーム、スロット、ミニスロット、またはシンボルであり得る。図７に示されるように、ｎ番目のスロットから（ｎ＋ｋ）番目のスロットのものであり、ネットワークデバイスによって第１の通信デバイスおよび第２の通信デバイスに送信される第２の指示情報によって示される第４のリソース構成情報が図面に含まれる。言い換えれば、第２の指示情報は、サイドリンク伝送に使用されるスロットｎからスロット（ｎ＋ｋ）の時間リソースを示し得る。第２の指示情報に含まれるスロット位置情報は（ｎ＋５）であり、開始シンボル位置情報は５であり、占有されるスロットの数は７である。この場合、スロット（ｎ＋５）におけるシンボル５からシンボル１１はサイドリンク伝送のために使用されるように構成され、サイドリンク伝送に使用されるシンボル５からシンボル１１は第４のリソースに属しており、第４のリソースは、第３のリソース、すなわちスロット（ｎ＋５）に属している。
【００９３】
第２の指示情報は第５のリソースを示すためにさらに使用され、第５のリソースは第３のリソースに属しており、第５のリソースは、アップリンク情報およびダウンリンク情報のうちの少なくとも１つを伝送するために使用され、第５のリソースは、サブフレーム、スロット、ミニスロット、またはシンボルであり得る。第２の指示情報は、時分割二重サイドリンクアップリンク／ダウンリンク構成専用（ｔｄｄ−ＳＬ−ＵＬ−ＤＬ構成専用）情報をさらに含み得る。ネットワークデバイスが、ｔｄｄ−ＳＬ構成共通情報を使用することによってサービングセル内の通信デバイスのために構成した後、ネットワークデバイスはさらに、ｔｄｄ−ＳＬ−ＵＬ−ＤＬ構成専用情報を使用することによって、ネットワークデバイスに対応するサービングセル内の一部の通信デバイスに対してアップリンクリソースおよびダウンリンクリソースを再構成し得、これらの通信デバイスは、受信したｔｄｄ−ＳＬ−ＵＬ−ＤＬ構成専用情報を使用することによってリソース構成情報を取得する。ｔｄｄ−ＳＬ−ＵＬ−ＤＬ構成専用情報は、アップリンクリソース、フレキシブルリソース、またはアップリンクリソースおよびフレキシブルリソースを特定セル向け構成リソース内でさらに構成するためにのみ使用することができ、リソース構成情報は、サブフレーム構成、スロット構成、ミニスロット構成、およびシンボル構成のうちの少なくとも１つのタイプの構成情報を含む。ＲＲＣシグナリングに含まれ、第２の指示情報においてリソース構成機能を実装する情報の名称はｔｄｄ−ＳＬ−ＵＬ−ＤＬ構成専用に限定されず、ＲＲＣシグナリングに含まれる情報の名称は代替的には別のタイプのものであり得る。
【００９４】
ネットワークデバイスが第２の指示情報を第１の通信デバイスに送信する前に、ネットワークデバイスの送信ユニット２１はさらに第３の指示情報を第１の通信デバイスに送信し得、第１の通信デバイスの受信ユニット３３はネットワークデバイスから第３の指示情報を受信する。ここで、第３の指示情報は第５のリソースを示し、第５のリソースは第３のリソースに属しており、第５のリソースは、アップリンク情報およびダウンリンク情報のうちの少なくとも１つを伝送するために使用される。第３の指示情報はＲＲＣシグナリングであり得、第３の指示情報は、時分割二重サイドリンクアップリンク／ダウンリンク構成専用（ｔｄｄ−ＳＬ−ＵＬ−ＤＬ構成専用）情報を含む。ネットワークデバイスが、ｔｄｄ−ＳＬ構成共通情報を使用することによってサービングセル内の通信デバイスのために構成した後、ネットワークデバイスはさらに、ｔｄｄ−ＳＬ−ＵＬ−ＤＬ構成専用情報を使用することによって、ネットワークデバイスに対応するサービングセル内の一部の通信デバイスに対してアップリンクリソースおよびダウンリンクリソースを再構成し得、これらの通信デバイスは、受信したｔｄｄ−ＳＬ−ＵＬ−ＤＬ構成専用情報を使用することによってリソース構成情報を取得する。ｔｄｄ−ＳＬ−ＵＬ−ＤＬ構成専用情報は、アップリンクリソース、フレキシブルリソース、またはアップリンクリソースおよびフレキシブルリソースを特定セル向け構成リソース内でさらに構成するためにのみ使用することができ、リソース構成情報は、サブフレーム構成、スロット構成、ミニスロット構成、およびシンボル構成のうちの少なくとも１つのタイプの構成情報を含む。ＲＲＣシグナリングに含まれ、第３の指示情報においてリソース構成機能を実装する情報の名称はｔｄｄ−ＳＬ−ＵＬ−ＤＬ構成専用に限定されず、ＲＲＣシグナリングに含まれる情報の名称は代替的には別のタイプのものであり得る。
【００９５】
図７に示されるように、ネットワークデバイスによって第１の通信デバイスおよび第２の通信デバイスに送信されたｔｄｄ−ＳＬ−ＵＬ−ＤＬ構成専用情報を使用することによるｎ番目のスロットから（ｎ＋ｋ）番目のスロットの再構成情報が図面に含まれる。言い換えれば、ｔｄｄ−ＳＬ−ＵＬ−ＤＬ構成専用情報は、スロットｎからスロット（ｎ＋ｋ）でアップリンク情報を伝送し、ダウンリンク情報を伝送するために再構成され得る時間リソースを示し得る。スロット（ｎ＋５）のシンボル０からシンボル４はダウンリンク情報を伝送するために使用され、シンボル１２およびシンボル１３はアップリンク情報を伝送するために使用され、シンボル０からシンボル４およびシンボル１２およびシンボル１３は第５のリソースに属しており、第５のリソースは第３のリソース、すなわちスロット（ｎ＋５）に属している。
【００９６】
段階５２の前に、ネットワークデバイスの処理ユニット２２はサイドリンク伝送に使用された第４のリソースを決定し、ここで、第４のリソースは、第１のリソースに、第３のリソース、または第１のリソースおよび第３のリソースに属している。
【００９７】
ネットワークデバイスの送信ユニット２１はさらに、第４の指示情報を第１の通信デバイスに送信し得、ここで、第４の指示情報はサイドリンクスロットフォーマットインジケータ無線ネットワークの一時的識別子（Ｓｉｄｅｌｉｎｋ  Ｓｌｏｔ  Ｆｏｒｍａｔ  Ｉｎｄｉｃａｔｏｒ  Ｒａｄｉｏ  Ｎｅｔｗｏｒｋ  Ｔｅｍｐｏｒａｒｙ  Ｉｄｅｎｔｉｆｉｅｒ，ＳＬ−ＳＦＩ−ＲＮＴＩ）を示し、第１の通信デバイスの受信ユニット３３が第４の指示情報を受信する。ネットワークデバイスの処理ユニット２２は、ＳＬ−ＳＦＩ−ＲＮＴＩを使用することによって、第１の指示情報から第３の指示情報のうちの少なくとも１つをスクランブルし、次に、ネットワークデバイスが、スクランブルされた指示情報を第１の通信デバイスに送信し、第１の通信デバイスの処理ユニット３２が、ＳＬ−ＳＦＩ−ＲＮＴＩを使用することによって、ネットワークデバイスから受信したスクランブルされた指示情報をデスクランブルして、第１の指示情報から第３の指示情報のうちの少なくとも１つを取得する。
【００９８】
段階５３。第１の通信デバイスが第４のリソース上でサイドリンク情報を第２の通信デバイスに伝送する。第１の通信デバイスの送信ユニット３１が第４のリソース上でサイドリンク情報を第２の通信デバイスに送信し、第２の通信デバイスの受信ユニット４３が第４のリソース上で第１の通信デバイスからサイドリンク情報を受信する。サイドリンク情報は、サイドリンク制御情報（Ｓｉｄｅｌｉｎｋ  Ｃｏｎｔｒｏｌ  Ｉｎｆｏｒｍａｔｉｏｎ，ＳＣＩ）およびサイドリンクデータのうちの少なくとも１つを含み得、第１の通信デバイスが、サイドリンク制御情報に基づいて第４のリソース上でサイドリンクデータを第２の通信デバイスに送信する。サイドリンク情報を伝送するためのリソースの第１のサイドリンクシンボルは、自動利得制御（Ａｕｔｏｍａｔｉｃ  ｇａｉｎ  ｃｏｎｔｒｏｌ，ＡＧＣ）情報を送信するために使用され得、ＳＣＩ情報は第２のサイドリンクシンボルから開始して送信される。ＳＣＩ情報は、ＳＣＩ情報によって占有されるシンボルの数およびサイドリンクデータのシンボルの数を含み、ここで、ＳＣＩ情報によって占有されるシンボルの後のサイドリンクシンボルがサイドリンクデータを伝送するために使用される。任意に、サイドリンク情報を伝送するためのリソースの第１のサイドリンクシンボルは、ＳＣＩ情報を送信するためにさらに使用され得る。ＳＣＩ情報は、ＳＣＩ情報によって占有されるシンボルの数およびサイドリンクデータのシンボルの数を含み、ここで、ＳＣＩ情報によって占有されるシンボルの後のサイドリンクシンボルがサイドリンクデータを伝送するために使用される。第２の通信デバイスの受信ユニット４３は、サイドリンク制御情報に基づいて、第４のリソース上で第１の通信デバイスからサイドリンクデータを受信する。例えば、第２の通信デバイスがアップリンクリソースによって占有されるスロットおよびフレキシブルリソースによって占有されるスロットにおいてサイドリンク情報を受信し、第２もしくは第３のアップリンクシンボルまたはフレキシブルリソースによって占有されるシンボルの位置で、サイドリンク情報がＳＣＩであるかどうかを決定し、ＳＣＩを正しく受信した後にＳＣＩに基づいてサイドリンクデータを取得する。
【００９９】
サイドリンク制御情報およびサイドリンクデータに加えて、サイドリンク情報はサイドリンクフィードバック情報をさらに含み得る。もちろん、サイドリンク情報はサイドリンクフィードバック情報のみを含んでもよく、サイドリンクフィードバック情報は、第２の通信デバイスがサイドリンクデータを正しくまたは問題なく受信するかどうかを示す。この場合、ＳＣＩはサイドリンクフィードバック情報の指示情報をさらに含み、サイドリンクフィードバック情報は、肯定応答（Ａｃｋｎｏｗｌｅｄｇｅｍｅｎｔ，ＡＣＫ）情報、否定応答（Ｎｅｇａｔｉｖｅ  Ａｃｋｎｏｗｌｅｄｇｅｍｅｎｔ，ＮＡＣＫ）情報、およびチャネル状態情報（Ｃｈａｎｎｅｌ  Ｓｔａｔｅ  Ｉｎｆｏｒｍａｔｉｏｎ，ＣＳＩ）などを含み得る。第２の通信デバイスの送信ユニット４１が第４のリソース上でサイドリンクフィードバック情報を第１の通信デバイスに送信し、第１の通信デバイスの受信ユニット３３が第４のリソース上で第２の通信デバイスからサイドリンクフィードバック情報を受信する。ＡＣＫ／ＮＡＣＫ応答情報が例として使用される。フィードバック情報は、１ビットの指示情報であり得る。１ビットの指示情報が０である場合、これはＮＡＣＫを示す。言い換えれば、第２の通信デバイスがサイドリンクデータを正しく受信していない。したがって、第１の通信デバイスは、サイドリンク情報を第２の通信デバイスに再送信する必要がある。１ビットの指示情報が１である場合、これはＡＣＫを示す。言い換えれば、第２の通信デバイスはサイドリンクデータを正しく受信している。
【０１００】
ネットワークデバイスの送信ユニット２１が第１の指示情報を第１の通信デバイスに送信し、第１の通信デバイスの受信ユニット３３がネットワークデバイスから第１の指示情報を受信する。ここで、第１の指示情報は、第１のリソース、第２のリソース、および第３のリソースを示し、第１のリソースはアップリンク情報を伝送するために使用され、第２のリソースはダウンリンク情報を伝送するために使用され、第３のリソースは、第１の情報を伝送するためまたは情報を伝送しないために使用されてもよく、第１の情報は、アップリンク情報、ダウンリンク情報、およびサイドリンク情報のうちの少なくとも１つを含む。
【０１０１】
ネットワークデバイスの送信ユニット２１が第１の制御情報を第１の通信デバイスに送信し、第１の通信デバイスの受信ユニット３３がネットワークデバイスから第１の制御情報を受信する。ここで、第１の制御情報は第６のリソースを示し、第６のリソースは第７のリソースに属しており、第７のリソースは、第１のリソース、第２のリソース、第３のリソース、および第４のリソースのうちの少なくとも１つを含み、第４のリソースはサイドリンク情報を伝送するために使用される。
【０１０２】
ネットワークデバイスの送信ユニット２１が第５の指示情報を第１の通信デバイスに送信し、第１の通信デバイスの受信ユニット３３がネットワークデバイスから第５の指示情報を受信する。ここで、第５の指示情報は第８のリソースを示し、第８のリソースは第６のリソースに属しており、第８のリソース内の第４のリソースは、第１の通信デバイスと第２の通信デバイスとの間でサイドリンク情報を伝送するために使用される。
【０１０３】
第７のリソースは、ダウンリンクリソース、アップリンクリソース、サイドリンクリソース、および／またはフレキシブルリソースの予め定義された構成によって示される、サブフレーム、スロット、および／またはミニスロット内の各シンボルに対する考えられるリソースであり得る。１つのスロットに含まれるダウンリンクリソース、アップリンクリソース、サイドリンクリソース、および／またはフレキシブルリソースの構成が以下の説明のために例として使用される。この構成は、表１および表２に示されるように、１つのスロット内の異なるシンボルがアップリンクリソース、ダウンリンクリソース、サイドリンクリソース、またはフレキシブルリソースなどの構成に使用されるものである。表１および表２において、アップリンクリソースはＵで示され、ダウンリンクリソースはＤで示され、サイドリンクリソースはＳで示され、フレキシブルリソースはＸで示されている。表１および表２は、指示情報を使用することによってネットワークデバイスから通信デバイスにより動的または半静的に示され得るか、または通信プロトコルにおいて直接的に予め定義され得る。スロット内に含まれるダウンリンクリソース、アップリンクリソース、サイドリンクリソース、および／またはフレキシブルリソースの具体的な構成ならびに対応する配列番号は、表１および表２に含まれる。
【０１０４】
第１の制御情報はダウンリンク制御情報（Ｄｏｗｎｌｉｎｋ  Ｃｏｎｔｒｏｌ  Ｉｎｆｏｒｍａｔｉｏｎ，ＤＣＩ）であり得、第１の制御情報は、サイドリンクスロットフォーマットインジケータ（ＳＬ−ｓｌｏｔ−Ｆｏｒｍａｔ−Ｉｎｄｉｃａｔｏｒ）情報を含み得、ここで、ＳＬスロットフォーマットインジケータ情報はｍ個のｎビットを含み、ｍおよびｎはいずれも１以上の正の整数である。ｎビット値は、第７のリソース内にあるダウンリンクリソース、アップリンクリソース、サイドリンクリソース、および／またはフレキシブルリソースの予め定義された構成に対応する。第７のリソースは、表１内の１つのスロットに含まれるダウンリンクリソース、アップリンクリソース、サイドリンクリソース、および／またはフレキシブルリソースの構成であり得る。この場合、ｎは８に等しい。具体的には、表１において、１つのスロット内の２５６組の異なるシンボルのリソース構成情報が定義されている。構成情報の各組は、８ビットの指示情報の１つの値に対応し、４９〜２５５のシンボル使用法の構成は、０〜４８のシンボル使用法に基づいて規定され得る。表１は、スロット内のシンボルの使用法の可能な構成のみを提供する。これは、実際の適用においては限定されない。
【表１】
2021533663.tif 000003
【表２】
2021533663.tif 000004
【表３】
2021533663.tif 000005
【０１０５】
第１の制御情報はスロットフォーマットインジケータ（Ｓｌｏｔ−Ｆｏｒｍａｔ−Ｉｎｄｉｃａｔｏｒ）情報をさらに含み得、スロットフォーマットインジケータ情報はｍ個のｎビットを含み、ｍおよびｎはいずれも１以上の正の整数である。ｎビット値は、第７のリソース内にあるダウンリンクリソース、アップリンクリソース、サイドリンクリソース、および／またはフレキシブルリソースの予め定義された構成に対応する。第７のリソースは、表２内の１つのスロットに含まれるダウンリンクリソース、アップリンクリソース、サイドリンクリソース、および／またはフレキシブルリソースの構成であり得る。この場合、ｎは８に等しい。具体的には、表２において、１つのスロット内の２５６組の異なるシンボルのリソース構成情報が定義されている。構成情報の各組は、８ビットの指示情報の１つの値に対応し、１０５〜２５５のシンボル使用法の構成は、０〜１０４のシンボル使用法に基づいて規定され得る。表２は、スロット内のシンボルの使用法の可能な構成のみを提供する。これは、実際の適用においては限定されない。
【表４】
2021533663.tif 000006
【表５】
2021533663.tif 000007
【表６】
2021533663.tif 000008
【表７】
2021533663.tif 000009
【表８】
2021533663.tif 000010
【０１０６】
第５の指示情報はＲＲＣシグナリングであり得、第５の指示情報は、位置インジケータ（ｐｏｓｉｔｉｏｎ−ｉｎｄｉｃａｔｏｒ）情報を含み得、ここで、位置インジケータ情報は、ＳＬスロットフォーマットインジケータ情報および／またはスロットフォーマットインジケータ情報内の特定のｎビット値を示す。例えば、表１において、ＳＬスロットフォーマットインジケータ情報が００００  ００１１  ００００  ０１１０  ００００  １００１であるとき、ＳＬスロットフォーマットインジケータ情報は、表１における第３のタイプ、第６のタイプ、および第９のタイプのシンボルの対応する構成情報、すなわち第６のリソースをそれぞれ示す３つの８ビット値を含む。位置インジケータ情報は、８ビット値の最初の位置を示し得、すなわち、ＳＬスロットフォーマットインジケータ情報内の３つの８ビット値の特定の８ビット値が選択される。例えば、位置インジケータ情報が第１の位置を示すとき、第１の通信デバイスは、ＳＬスロットフォーマットインジケータ情報内の第１の８ビット値、すなわち、表１における第３のタイプのシンボルの構成情報を選択し、第３のタイプのシンボルの構成情報は第８のリソースである。
【０１０７】
ネットワークデバイスの送信ユニット２１はさらに、第４の指示情報を第１の通信デバイスに送信し得、ここで、第４の指示情報はサイドリンクスロットフォーマットインジケータ無線ネットワークの一時的識別子（Ｓｉｄｅｌｉｎｋ  Ｓｌｏｔ  Ｆｏｒｍａｔ  Ｉｎｄｉｃａｔｏｒ  Ｒａｄｉｏ  Ｎｅｔｗｏｒｋ  Ｔｅｍｐｏｒａｒｙ  Ｉｄｅｎｔｉｆｉｅｒ，ＳＬ−ＳＦＩ−ＲＮＴＩ）を示し、第１の通信デバイスの受信ユニット３３が第４の指示情報を受信する。ネットワークデバイスの処理ユニット２２は、ＳＬ−ＳＦＩ−ＲＮＴＩを使用することによって、第１の指示情報、第１の制御情報、および第５の指示情報のうちの少なくとも１つをスクランブルし、第１の通信デバイスの処理ユニット３２が、ＳＬ−ＳＦＩ−ＲＮＴＩを使用することによって、ネットワークデバイスから受信したスクランブルされた情報をデスクランブルして、第１の指示情報、第１の制御情報、および第５の指示情報のうちの少なくとも１つを取得する。
【０１０８】
第１の通信デバイスが第８のリソース内の第４のリソース上でサイドリンク情報を第２の通信デバイスに伝送する。第１の通信デバイスの送信ユニット３１が第８のリソース内の第４のリソース上でサイドリンク情報を第２の通信デバイスに送信し、第２の通信デバイスの受信ユニット４３が第８のリソース内の第４のリソース上で第１の通信デバイスからサイドリンク情報を受信する。サイドリンク情報は、サイドリンク制御情報（Ｓｉｄｅｌｉｎｋ  Ｃｏｎｔｒｏｌ  Ｉｎｆｏｒｍａｔｉｏｎ，ＳＣＩ）およびサイドリンクデータのうちの少なくとも１つを含み得、第１の通信デバイスが、サイドリンク制御情報に基づいて第４のリソース上でサイドリンクデータを第２の通信デバイスに送信する。サイドリンク情報を伝送するためのリソースの第１のサイドリンクシンボルは、自動利得制御（Ａｕｔｏｍａｔｉｃ  ｇａｉｎ  ｃｏｎｔｒｏｌ，ＡＧＣ）情報を送信するために使用され得、ＳＣＩ情報は第２のサイドリンクシンボルから開始して送信される。ＳＣＩ情報は、ＳＣＩ情報によって占有されるシンボルの数およびサイドリンクデータのシンボルの数を含み、ここで、ＳＣＩ情報によって占有されるシンボルの後のサイドリンクシンボルがサイドリンクデータを伝送するために使用される。第２の通信デバイスの受信ユニット４３は、サイドリンク制御情報に基づいて、第８のリソース内の第４のリソース上で第１の通信デバイスからサイドリンクデータを受信する。例えば、第２の通信デバイスがアップリンクリソースによって占有されるスロットおよびフレキシブルリソースによって占有されるスロットにおいてサイドリンク情報を受信し、第２もしくは第３のアップリンクシンボルまたはフレキシブルリソースによって占有されるシンボルの位置で、サイドリンク情報がＳＣＩであるかどうかを決定し、ＳＣＩを正しく受信した後にＳＣＩに基づいてサイドリンクデータを取得する。
【０１０９】
サイドリンク制御情報およびサイドリンクデータに加えて、サイドリンク情報はサイドリンクフィードバック情報をさらに含み得る。もちろん、サイドリンク情報はサイドリンクフィードバック情報のみを含んでもよく、サイドリンクフィードバック情報は、第２の通信デバイスがサイドリンクデータを正しくまたは問題なく受信するかどうかを示す。この場合、ＳＣＩはサイドリンクフィードバック情報の指示情報をさらに含み、サイドリンクフィードバック情報は、肯定応答（Ａｃｋｎｏｗｌｅｄｇｅｍｅｎｔ，ＡＣＫ）情報、否定応答（Ｎｅｇａｔｉｖｅ  Ａｃｋｎｏｗｌｅｄｇｅｍｅｎｔ，ＮＡＣＫ）情報、およびチャネル状態情報（Ｃｈａｎｎｅｌ  Ｓｔａｔｅ  Ｉｎｆｏｒｍａｔｉｏｎ，ＣＳＩ）などを含み得る。第２の通信デバイスの送信ユニット４１が第８のリソース内の第４のリソース上でサイドリンクフィードバック情報を第１の通信デバイスに送信し、第１の通信デバイスの受信ユニット３３が第８のリソース内の第４のリソース上で第２の通信デバイスからサイドリンクフィードバック情報を受信する。ＡＣＫ／ＮＡＣＫ応答情報が例として使用される。フィードバック情報は、１ビットの指示情報であり得る。１ビットの指示情報が０である場合、これはＮＡＣＫを示す。言い換えれば、第２の通信デバイスがサイドリンクデータを正しく受信していない。したがって、第１の通信デバイスは、サイドリンク情報を第２の通信デバイスに再送信する必要がある。１ビットの指示情報が１である場合、これはＡＣＫを示す。言い換えれば、第２の通信デバイスはサイドリンクデータを正しく受信している。
他の考えられる項目
［項目１］
サイドリンク情報のためのリソース構成方法であって、
ネットワークデバイスが第１の指示情報を第１の通信デバイスに送信する段階であって、上記第１の指示情報が第１のリソース、第２のリソース、および第３のリソースを示し、上記第１のリソースがアップリンク情報を伝送するために使用され、上記第２のリソースがダウンリンク情報を伝送するために使用され、上記第３のリソースが、第１の情報を伝送するためまたは情報を伝送しないために使用されてよく、上記第１の情報が、アップリンク情報、ダウンリンク情報、およびサイドリンク情報のうちの少なくとも１つを含む、送信する段階と、
上記ネットワークデバイスが第２の指示情報を上記第１の通信デバイスに送信する段階であって、上記第２の指示情報が第４のリソースを示し、上記第４のリソースが上記第１のリソース、上記第３のリソース、または上記第１のリソースおよび第３のリソースに属しており、上記第４のリソースが、上記第１の通信デバイスと第２の通信デバイスとの間でサイドリンク情報を伝送するために使用される、送信する段階と、を含む、方法。
［項目２］
上記第２の指示情報がさらに、第５のリソースを示すために使用され、上記第５のリソースが上記第３のリソースに属しており、上記第５のリソースが、アップリンク情報およびダウンリンク情報のうちの少なくとも１つを伝送するために使用される、項目１に記載の方法。
［項目３］
上記ネットワークデバイスが第２の指示情報を上記第１の通信デバイスに送信する上記段階の前に、上記方法がさらに、
上記ネットワークデバイスが第３の指示情報を上記第１の通信デバイスに送信する段階を含み、上記第３の指示情報が第５のリソースを示し、上記第５のリソースが上記第３のリソースに属しており、上記第５のリソースが、アップリンク情報およびダウンリンク情報のうちの少なくとも１つを伝送するために使用される、項目１に記載の方法。
［項目４］
上記方法がさらに、
上記ネットワークデバイスが第４の指示情報を上記第１の通信デバイスに送信する段階であって、上記第４の指示情報がサイドリンクスロットフォーマットインジケータ無線ネットワークの一時的識別子を示す、送信する段階と、
上記ネットワークデバイスが、上記サイドリンクスロットフォーマットインジケータ無線ネットワークの一時的識別子を使用することによって、上記第１の指示情報、上記第２の指示情報、および上記第３の指示情報のうちの少なくとも１つをスクランブルする段階と、を含む、項目１から３のいずれか一項に記載の方法。
［項目５］
上記第２の指示情報が、上記第４のリソースのものである、スロット位置情報、ミニスロット位置情報、開始シンボル位置情報、占有されるシンボルの数、占有されるミニスロットの数、および占有されるスロットの数のうちの少なくとも１つを含む、項目１から４のいずれか一項に記載の方法。
［項目６］
サイドリンク情報のためのリソース構成方法であって、
第１の通信デバイスがネットワークデバイスから第１の指示情報を受信する段階であって、上記第１の指示情報が、第１のリソース、第２のリソース、および第３のリソースを示し、上記第１のリソースがアップリンク情報を伝送するために使用され、上記第２のリソースがダウンリンク情報を伝送するために使用され、上記第３のリソースが第１の情報を伝送するためまたは情報を伝送しないために使用されてもよく、上記第１の情報が、アップリンク情報、ダウンリンク情報、およびサイドリンク情報のうちの少なくとも１つを含む、受信する段階と、
上記第１の通信デバイスが上記ネットワークデバイスから第２の指示情報を受信する段階であって、上記第２の指示情報が第４のリソースを示し、上記第４のリソースが、上記第１のリソース、上記第３のリソース、または上記第１のリソースおよび上記第３のリソースに属しており、上記第４のリソースが、上記第１の通信デバイスと第２の通信デバイスとの間でサイドリンク情報を伝送するために使用される、受信する段階と、
上記第１の通信デバイスが上記第４のリソース上で上記サイドリンク情報を第２の通信デバイスに送信する段階と、を含む、方法。
［項目７］
上記第２の指示情報がさらに、第５のリソースを示すために使用され、上記第５のリソースが上記第３のリソースに属しており、上記第５のリソースが、アップリンク情報およびダウンリンク情報のうちの少なくとも１つを伝送するために使用される、項目６に記載の方法。
［項目８］
上記第１の通信デバイスが上記ネットワークデバイスから第２の指示情報を受信する上記段階の前に、上記方法がさらに、
上記第１の通信デバイスが上記ネットワークデバイスから第３の指示情報を受信する段階を含み、上記第３の指示情報が第５のリソースを示し、上記第５のリソースが第３のリソースに属しており、上記第５のリソースが、アップリンク情報およびダウンリンク情報のうちの少なくとも１つを伝送するために使用される、項目６に記載の方法。
［項目９］
上記方法がさらに、
上記第１の通信デバイスが上記ネットワークデバイスから第４の指示情報を受信する段階であって、上記第４の指示情報がサイドリンクスロットフォーマットインジケータ無線ネットワークの一時的識別子を示す、受信する段階と、
上記第１の通信デバイスが、上記サイドリンクスロットフォーマットインジケータ無線ネットワークの一時的識別子を使用することによって、上記第１の指示情報、上記第２の指示情報、および上記第３の指示情報のうちの少なくとも１つをデスクランブルする段階と、を含む、項目６から８のいずれか一項に記載の方法。
［項目１０］
上記第２の指示情報が、上記第４のリソースのものである、スロット位置情報、ミニスロット位置情報、開始シンボル位置情報、占有されるシンボルの数、占有されるミニスロットの数、および占有されるスロットの数のうちの少なくとも１つを含む、項目６から９のいずれか一項に記載の方法。
［項目１１］
上記サイドリンク情報が、サイドリンク制御情報およびサイドリンクデータのうちの少なくとも１つを含み、上記第１の通信デバイスが、上記サイドリンク制御情報に基づいて、上記第４のリソース上で上記サイドリンクデータを上記第２の通信デバイスに送信する、項目６から１０のいずれか一項に記載の方法。
［項目１２］
上記サイドリンク情報がサイドリンクフィードバック情報をさらに含み、上記サイドリンクフィードバック情報は、上記第２の通信デバイスが上記サイドリンクデータを正しく受信するかどうかを示し、
上記第１の通信デバイスが、上記第４のリソース上で上記第２の通信デバイスから上記サイドリンクフィードバック情報を受信する、
項目６から１１のいずれか一項に記載の方法。
［項目１３］
サイドリンク情報のためのリソース構成方法であって、
第２の通信デバイスがネットワークデバイスから第１の指示情報を受信する段階であって、上記第１の指示情報が、第１のリソース、第２のリソース、および第３のリソースを示し、上記第１のリソースがアップリンク情報を伝送するために使用され、上記第２のリソースがダウンリンク情報を伝送するために使用され、上記第３のリソースが第１の情報を伝送するためまたは情報を伝送しないために使用されてもよく、上記第１の情報が、アップリンク情報、ダウンリンク情報、およびサイドリンク情報のうちの少なくとも１つを含む、受信する段階と、
上記第２の通信デバイスが上記ネットワークデバイスから第２の指示情報を受信する段階であって、上記第２の指示情報が第４のリソースを示し、上記第４のリソースが、上記第１のリソース、上記第３のリソース、または上記第１のリソースおよび上記第３のリソースに属しており、上記第４のリソースが、上記第２の通信デバイスと第１の通信デバイスとの間でサイドリンク情報を伝送するために使用される、受信する段階と、
上記第２の通信デバイスが上記第４のリソース上で上記第１の通信デバイスから上記サイドリンク情報を受信する段階と、を含む、方法。
［項目１４］
上記第２の指示情報がさらに、第５のリソースを示すために使用され、上記第５のリソースが上記第３のリソースに属しており、上記第５のリソースが、アップリンク情報およびダウンリンク情報のうちの少なくとも１つを伝送するために使用される、項目１３に記載の方法。
［項目１５］
上記第２の通信デバイスが上記ネットワークデバイスから第２の指示情報を受信する上記段階の前に、上記方法がさらに、
上記第２の通信デバイスが上記ネットワークデバイスから第３の指示情報を受信する段階を含み、上記第３の指示情報が第５のリソースを示し、上記第５のリソースが上記第３のリソースに属しており、上記第５のリソースが、アップリンク情報およびダウンリンク情報のうちの少なくとも１つを伝送するために使用される、項目１３に記載の方法。
［項目１６］
上記方法がさらに、
上記第２の通信デバイスが上記ネットワークデバイスから第４の指示情報を受信する段階であって、上記第４の指示情報が、上記サイドリンクスロットフォーマットインジケータ無線ネットワークの一時的識別子を示す、受信する段階と、
上記第２の通信デバイスが、上記サイドリンクスロットフォーマットインジケータ無線ネットワーク一時的識別子を使用することによって、上記第１の指示情報、上記第２の指示情報、および上記第３の指示情報のうちの少なくとも１つをデスクランブルする段階と、を含む、項目１３から１５のいずれか一項に記載の方法。
［項目１７］
上記第２の指示情報が、上記第４のリソースのものである、スロット位置情報、ミニスロット位置情報、開始シンボル位置情報、占有されるシンボルの数、占有されるミニスロットの数、および占有されるスロットの数のうちの少なくとも１つを含む、項目１３から１６のいずれか一項に記載の方法。
［項目１８］
上記サイドリンク情報が、サイドリンク制御情報およびサイドリンクデータのうちの少なくとも１つを含み、上記第２の通信デバイスが、上記サイドリンク制御情報に基づいて、上記第４のリソース上で上記第１の通信デバイスから上記サイドリンクデータを受信する、項目１３から１７のいずれか一項に記載の方法。
［項目１９］
上記サイドリンク情報がサイドリンクフィードバック情報をさらに含み、上記サイドリンクフィードバック情報は、上記第２の通信デバイスが上記サイドリンクデータを正しく受信するかどうかを示し、
上記第２の通信デバイスが、上記第４のリソース上で上記サイドリンクフィードバック情報を上記第１の通信デバイスに送信する、
項目１３から１８のいずれか一項に記載の方法。
［項目２０］
第１の指示情報を第１の通信デバイスに送信するように構成された送信ユニットであって、上記第１の指示情報が、第１のリソース、第２のリソース、および第３のリソースを示し、上記第１のリソースがアップリンク情報を伝送するために使用され、上記第２のリソースがダウンリンク情報を伝送するために使用され、上記第３のリソースが、第１の情報を伝送するためまたは情報を伝送しないために使用されてもよく、上記第１の情報が、アップリンク情報、ダウンリンク情報、およびサイドリンク情報のうちの少なくとも１つを含む、送信ユニットを備え、
上記送信ユニットがさらに、第２の指示情報を上記第１の通信デバイスに送信するように構成され、上記第２の指示情報が第４のリソースを示し、上記第４のリソースが、上記第１のリソース、上記第３のリソース、または上記第１のリソースおよび上記第３のリソースに属しており、上記第４のリソースが上記第１の通信デバイスと第２の通信デバイスとの間でサイドリンク情報を伝送するために使用される、ネットワークデバイス。
［項目２１］
上記第２の指示情報がさらに、第５のリソースを示すために使用され、上記第５のリソースが上記第３のリソースに属しており、上記第５のリソースが、アップリンク情報およびダウンリンク情報のうちの少なくとも１つを伝送するために使用される、項目２０に記載のネットワークデバイス。
［項目２２］
上記送信ユニットが上記第２の指示情報を上記第１の通信デバイスに送信する前に、上記送信ユニットがさらに、第３の指示情報を上記第１の通信デバイスに送信するように構成され、上記第３の指示情報が第５のリソースを示し、上記第５のリソースが上記第３のリソースに属しており、上記第５のリソースが、アップリンク情報およびダウンリンク情報のうちの少なくとも１つを伝送するために使用される、項目２０に記載のネットワークデバイス。
［項目２３］
上記送信ユニットがさらに、第４の指示情報を上記第１の通信デバイスに送信するように構成され、上記第４の指示情報がサイドリンクスロットフォーマットインジケータ無線ネットワークの一時的識別子を示し、
上記ネットワークデバイスが処理ユニットをさらに含み、上記処理ユニットが、上記サイドリンクスロットフォーマットインジケータ無線ネットワークの一時的識別子を使用することによって、上記第１の指示情報、上記第２の指示情報、および上記第３の指示情報のうちの少なくとも１つをスクランブルするように構成されている、項目２０から２２のいずれか一項に記載のネットワークデバイス。
［項目２４］
上記第２の指示情報が、上記第４のリソースのものである、スロット位置情報、ミニスロット位置情報、開始シンボル位置情報、占有されるシンボルの数、占有されるミニスロットの数、および占有されるスロットの数のうちの少なくとも１つを含む、項目２０から２３のいずれか一項に記載のネットワークデバイス。
［項目２５］
第１の通信デバイスであって、
ネットワークデバイスから第１の指示情報を受信するように構成された受信ユニットであって、上記第１の指示情報が、第１のリソース、第２のリソース、および第３のリソースを示し、上記第１のリソースがアップリンク情報を伝送するために使用され、上記第２のリソースがダウンリンク情報を伝送するために使用され、上記第３のリソースが、第１の情報を伝送するめまたは情報を伝送しないために使用されてもよく、上記第１の情報が、アップリンク情報、ダウンリンク情報、およびサイドリンク情報のうちの少なくとも１つを含み、受信ユニットがさらに、上記ネットワークデバイスから第２の指示情報を受信するように構成され、上記第２の指示情報が第４のリソースを示し、上記第４のリソースが、上記第１のリソース、上記第３のリソース、または上記第１のリソースおよび上記第３のリソースに属しており、上記第４のリソースが、上記第１の通信デバイスと第２の通信デバイスとの間でサイドリンク情報を伝送するために使用される、受信ユニットと、
上記第４のリソース上で上記サイドリンク情報を上記第２の通信デバイスに送信するように構成された送信ユニットと、を備える、第１の通信デバイス。
［項目２６］
上記第２の指示情報がさらに、第５のリソースを示ために使用され、上記第５のリソースが上記第３のリソースに属しており、上記第５のリソースが、アップリンク情報およびダウンリンク情報のうちの少なくとも１つを伝送するために使用される、項目２５に記載の第１の通信デバイス。
［項目２７］
上記受信ユニットが上記ネットワークデバイスから上記第２の指示情報を受信する前に、上記受信ユニットがさらに、上記ネットワークデバイスから第３の指示情報を受信するように構成され、上記第３の指示情報が第５のリソースを示し、上記第５のリソースが上記第３のリソースに属しており、上記第５のリソースが、アップリンク情報およびダウンリンク情報のうちの少なくとも１つを伝送するために使用される、項目２５に記載の第１の通信デバイス。
［項目２８］
上記受信ユニットがさらに、上記ネットワークデバイスから第４の指示情報を受信するように構成され、上記第４の指示情報がサイドリンクスロットフォーマットインジケータ無線ネットワークの一時的識別子を示し、
上記第１の通信デバイスが処理ユニットをさらに含み、上記処理ユニットが、上記サイドリンクスロットフォーマットインジケータ無線ネットワークの一時的識別子を使用することによって、上記第１の指示情報、上記第２の指示情報、および上記第３の指示情報のうちの少なくとも１つをデスクランブルするように構成されている、項目２５から２７のいずれか一項に記載の第１の通信デバイス。
［項目２９］
上記第２の指示情報が、上記第４のリソースのものである、スロット位置情報、ミニスロット位置情報、開始シンボル位置情報、占有されるシンボルの数、占有されるミニスロットの数、および占有されるスロットの数のうちの少なくとも１つを含む、項目２５から２８のいずれか一項に記載の第１の通信デバイス。
［項目３０］
上記サイドリンク情報が、サイドリンク制御情報およびサイドリンクデータのうちの少なくとも１つを含み、上記送信ユニットが、上記サイドリンク制御情報に基づいて、上記第４のリソース上で上記サイドリンクデータを上記第２の通信デバイスに送信する、項目２５から２９のいずれか一項に記載の第１の通信デバイス。
［項目３１］
上記サイドリンク情報がサイドリンクフィードバック情報をさらに含み、上記サイドリンクフィードバック情報は、上記第２の通信デバイスが上記サイドリンクデータを正しく受信するかどうかを示し、
上記受信ユニットが、上記第４のリソース上で上記第２の通信デバイスから上記サイドリンクフィードバック情報を受信する、項目２５から３０のいずれか一項に記載の第１の通信デバイス。
［項目３２］
第２の通信デバイスであって、
ネットワークデバイスから第１の指示情報を受信するように構成された受信ユニットであって、上記第１の指示情報が、第１のリソース、第２のリソース、および第３のリソースを示し、上記第１のリソースがアップリンク情報を伝送するために使用され、上記第２のリソースがダウンリンク情報を伝送するために使用され、上記第３のリソースが、第１の情報を伝送するためまたは情報を伝送しないために使用されてもよく、上記第１の情報が、アップリンク情報、ダウンリンク情報、およびサイドリンク情報のうちの少なくとも１つを含む、受信ユニットを備え、
上記受信ユニットがさらに、上記ネットワークデバイスから第２の指示情報を受信するように構成され、上記第２の指示情報が第４のリソースを示し、上記第４のリソースが、上記第１のリソース、第３のリソース、または上記第１のリソースおよび上記第３のリソースに属しており、上記第４のリソースが、上記第２の通信デバイスと第１の通信デバイスとの間でサイドリンク情報を伝送するために使用され、
上記受信ユニットがさらに、上記第４のリソース上で上記第１の通信デバイスから上記サイドリンク情報を受信するように構成される、第２の通信デバイス。
［項目３３］
上記第２の指示情報がさらに、第５のリソースを示ために使用され、上記第５のリソースが上記第３のリソースに属しており、上記第５のリソースが、アップリンク情報およびダウンリンク情報のうちの少なくとも１つを伝送するために使用される、項目３２に記載の第２の通信デバイス。
［項目３４］
上記受信ユニットが上記ネットワークデバイスから上記第２の指示情報を受信する前に、上記受信ユニットがさらに、上記ネットワークデバイスから第３の指示情報を受信するように構成され、上記第３の指示情報が第５のリソースを示し、上記第５のリソースが上記第３のリソースに属しており、上記第５のリソースが、アップリンク情報およびダウンリンク情報のうちの少なくとも１つを伝送するために使用される、項目３２に記載の第２の通信デバイス。
［項目３５］
上記受信ユニットがさらに、上記ネットワークデバイスから第４の指示情報を受信するように構成され、上記第４の指示情報がサイドリンクスロットフォーマットインジケータ無線ネットワークの一時的識別子を示し、
上記第２の通信デバイスが処理ユニットをさらに含み、上記処理ユニットが、上記サイドリンクスロットフォーマットインジケータ無線ネットワークの一時的識別子を使用することによって、上記第１の指示情報、上記第２の指示情報、および上記第３の指示情報のうちの少なくとも１つをデスクランブルするように構成されている、項目３２から３４のいずれか一項に記載の第２の通信デバイス。
［項目３６］
上記第２の指示情報が、上記第４のリソースのものである、スロット位置情報、ミニスロット位置情報、開始シンボル位置情報、占有されるシンボルの数、占有されるミニスロットの数、および占有されるスロットの数のうちの少なくとも１つを含む、項目３２から３５のいずれか一項に記載の第２の通信デバイス。
［項目３７］
上記サイドリンク情報が、サイドリンク制御情報およびサイドリンクデータのうちの少なくとも１つを含み、上記受信ユニットが、上記サイドリンク制御情報に基づいて、上記第４のリソース上で上記第１の通信デバイスから上記サイドリンクデータを受信する、
項目３２から３６のいずれか一項に記載の第２の通信デバイス。
［項目３８］
上記サイドリンク情報がサイドリンクフィードバック情報をさらに含み、上記サイドリンクフィードバック情報は、上記受信ユニットが上記サイドリンクデータを正しく受信するかどうかを示し、
上記第２の通信デバイスが送信ユニットをさらに備え、上記送信ユニットが、上記第４のリソース上で上記サイドリンクフィードバック情報を上記第１の通信デバイスに送信するように構成される、
項目３２から３７のいずれか一項に記載の第２の通信デバイス。
【図１】
2021533663.tif 000011
【図２】
2021533663.tif 000012
【図３】
2021533663.tif 000013
【図４】
2021533663.tif 000014
【図５】
2021533663.tif 000015
【図６】
2021533663.tif 000016
【図７】
2021533663.tif 000017
【国際調査報告】
2021533663.tif 000018
2021533663.tif 000019
2021533663.tif 000020
2021533663.tif 000021